(57)【特許請求の範囲】
【請求項１】
フィードバック情報の伝送方法であって、
端末が、第１キャリアにてデータを受信し、かつ第２キャリアにてデータを受信し、前記第１キャリア上のデータは第１基地局によりスケジューリングされ、前記第２キャリア上のデータは第２基地局によりスケジューリングされるステップと、
前記端末が、前記第１キャリアに対し第１アップリンク制御情報を生成し、前記端末が、前記第２キャリアに対し第２アップリンク制御情報を生成するステップと、
前記端末が、１つのアップリンクキャリアにおいて、物理アップリンク制御チャネル（ＰＵＣＣＨ）及び／又は物理アップリンク共有チャネル（ＰＵＳＣＨ）を通して、前記端末が生成したアップリンク制御情報を送信し、前記アップリンク制御情報は前記第１アップリンク制御情報及び前記第２アップリンク制御情報中の少なくとも１つの情報を含むステップと、
を含み、
前記端末が、前記１つのアップリンクキャリアにおいて、前記ＰＵＣＣＨ及び／又はＰＵＳＣＨを介して前記アップリンク制御情報を送信するステップは、
前記１つのアップリンクキャリアにおいて前記第１基地局によりスケジューリングされた第１ＰＵＳＣＨが存在すれば、前記端末が、前記１つのアップリンクキャリアにおいて、前記第１ＰＵＳＣＨを介し前記第１アップリンク制御情報を送信し、さもないと、前記端末が、前記１つのアップリンクキャリアにおいて、第１ＰＵＣＣＨリソースを用いた第１ＰＵＣＣＨを介し前記第１アップリンク制御情報を送信し、
前記１つのアップリンクキャリアにおいて、前記第２基地局によりスケジューリングされた第２ＰＵＳＣＨが存在すれば、前記端末が、前記１つのアップリンクキャリアにおいて、前記第２ＰＵＳＣＨを用いて前記第２アップリンク制御情報を送信し、さもないと、前記端末が、前記１つのアップリンクキャリアにおいて、第２ＰＵＣＣＨリソースを用いた第２ＰＵＣＣＨを介し前記第２アップリンク制御情報を送信ステップと、を含み、
前記第１ＰＵＣＣＨリソースと前記第２ＰＵＣＣＨリソースとは異なる
ことを特徴とするフィードバック情報の伝送方法。
【請求項２】
もし前記アップリンク制御情報にＡＣＫ／ＮＡＣＫフィードバック情報が含まれていれば、
前記端末が前記第１キャリアに対し第１アップリンク制御情報を生成することは、前記端末は、前記第１キャリアにおいてデータを受信したダウンリンクサブフレームに対しＡＣＫ／ＮＡＣＫを生成し、前記第１キャリアにおいてデータを受信していないダウンリンクサブフレームに対しＮＡＣＫ／不連続送信（ＤＴＸ）を生成し、これにより、前記第１キャリアに対応するＡＣＫ／ＮＡＣＫフィードバック情報を構成し、ここで、もし前記第１キャリアにおいていかなるデータも受信していなければ、前記端末は、前記第１キャリアに対応するＡＣＫ／ＮＡＣＫフィードバック情報を生成しないことであり、
前記端末が前記第２キャリアに対し第２アップリンク制御情報を生成することは、前記端末は、前記第２キャリアにおいてデータを受信したダウンリンクサブフレームに対しＡＣＫ／ＮＡＣＫを生成し、前記第２キャリアにおいてデータを受信していないダウンリンクサブフレームに対しＮＡＣＫ／ＤＴＸを生成し、これにより、前記第２キャリアに対応するＡＣＫ／ＮＡＣＫフィードバック情報を構成し、ここで、もし前記第２キャリアにおいていかなるデータも受信していなければ、前記端末は、前記第２キャリアに対応するＡＣＫ／ＮＡＣＫフィードバック情報を生成しないことである、
ことを特徴とする請求項１記載のフィードバック情報の伝送方法。
【請求項３】
もし前記アップリンク制御情報にＡＣＫ／ＮＡＣＫフィードバック情報が含まれていれば、前記端末は、前記１つのアップリンクキャリアにおいて、ＰＵＣＣＨ及び／又はＰＵＳＣＨを用いて前記アップリンク制御情報を送信する前に、
前記端末が、受信された前記第１基地局が高位層シグナリングを介し送信した設定情報に基づき、前記第１ＰＵＣＣＨに用いられる第１ＰＵＣＣＨリソースを確定し、又は、前記端末が、受信された前記第１基地局が送信した物理ダウンリンク制御チャネル（ＰＤＣＣＨ）又は拡張物理ダウンリンク制御チャネル（ＥＰＤＣＣＨ）中のＡＣＫ／ＮＡＣＫリソース指標フィールド（ＡＲＩ）に基づき、前記第１基地局が前記端末に予め設定した複数のＰＵＣＣＨリソース中の少なくとも１つのＰＵＣＣＨリソースを前記第１ＰＵＣＣＨリソースと確定するステップと、
及び／又は、
前記端末が、受信された前記第１基地局が送信した設定情報に基づき、前記第２ＰＵＣＣＨに用いられる第２ＰＵＣＣＨリソースを確定し、又は、前記端末が、受信された前記第２基地局が送信した設定情報に基づき、前記第２ＰＵＣＣＨに用いられる第２ＰＵＣＣＨリソースを確定し、又は、前記端末は、受信された前記第２基地局が送信したＰＤＣＣ
Ｈ又はＥＰＤＣＣＨ中のＡＲＩに基づき、前記第２ＰＵＣＣＨに用いられる第２ＰＵＣＣＨリソースを確定し、ここで、前記第２ＰＵＣＣＨリソースは前記第１基地局が第２基地局に予め通知した前記第２基地局が用いられるすべてのＰＵＣＣＨリソース中の少なくとも１つのＰＵＣＣＨリソースであるステップと、をさらに含み、
もし前記アップリンク制御情報にＣＳＩフィードバック情報が含まれていれば、前記端末が前記１つのアップリンクキャリアにおいて、ＰＵＣＣＨ及び／又はＰＵＳＣＨを介して、前記アップリンク制御情報を送信する前に、
前記端末が、前記第１基地局が高位層シグナリングを介し送信した設定情報を受信しそれに基づき、前記第１ＰＵＣＣＨに用いられる第１ＰＵＣＣＨリソースを確定するステップと、
及び／又は、
前記端末が、第１基地局が高位層シグナリングを介し送信した設定情報を受信しそれに基づき、前記第２ＰＵＣＣＨに用いられる第２ＰＵＣＣＨリソースを確定し、又は、前記端末が、前記第２基地局が送信した設定情報を受信しそれに基づき、前記第２ＰＵＣＣＨに用いられる第２ＰＵＣＣＨリソースを確定し、前記第２ＰＵＣＣＨリソースは前記第１基地局が前記第２基地局に予め通知した前記第２基地局が用いられるすべてのＰＵＣＣＨリソース中の少なくとも１つのＰＵＣＣＨリソースであるステップとを、さらに含む、
ことを特徴とする請求項１記載のフィードバック情報の伝送方法。
【請求項４】
前記ＡＲＩは、
前記第１基地局及び前記第２基地局が送信するＥＰＤＣＣＨ中の固定ビットフィールドであり、または、
前記第１基地局及び前記第２基地局が送信するＰＤＣＣＨ中の増加されたビットフィールドであり、または、
前記第１基地局が時分割多重（ＴＤＤ）システムを用いる場合、前記第１基地局が送信したプライマリーキャリア（ＰＣＣ）に対応するダウンリンク割当インデックスＤＡＩが１であるＰＤＣＣＨ以外のすべてのＰＤＣＣＨ中の多重化された送信電力制御（ＴＰＣ）フィールドである、
ことを特徴とする請求項３記載のフィードバック情報の伝送方法。
【請求項５】
第１基地局が、第１キャリアにおいて端末へデータを送信し、前記端末には、少なくとも前記第１キャリア及び第２キャリアが設定され、前記第１キャリアのデータは前記第１基地局によりスケジューリングされ、前記第２キャリアのデータは第２基地局によりスケジューリングされるステップと、
前記第１基地局が、１つのアップリンクキャリアにおいて、ＰＵＣＣＨ又はＰＵＳＣＨにより前記端末が送信したアップリンク制御情報を受信し、前記１つのアップリンクキャリアは前記端末へデータをスケジューリングする各基地局に対応するアップリンク制御情報の送信に用いられるステップと、を含み、
前記第１基地局が１つのアップリンクキャリアにおいて、ＰＵＣＣＨ又はＰＵＳＣＨにより前記端末が送信したアップリンク制御情報を受信するステップは、
もし前記第１基地局が前記第１キャリアにて第１ＰＵＳＣＨをスケジューリングしたなら、前記第１基地局が前記1つのアップリンクキャリアにおいて、前記第１ＰＵＳＣＨにて前記アップリンク制御情報を受信し、さもないと、前記第１基地局は前記１つのアップリンクキャリアにおいて、第１ＰＵＣＣＨリソースを用いた第１ＰＵＣＣＨを介し前記アップリンク制御情報を受信し、前記アップリンク制御情報が前記第１アップリンク制御情報を含み、ただし前記第２アップリンク制御情報は含むステップと、
を含むことを特徴とするフィードバック情報の受信方法。
【請求項６】
もし前記アップリンク制御情報にＡＣＫ／ＮＡＣＫフィードバック情報が含まれていれば、前記第1基地局が前記１つのアップリンクキャリアにおいて前記アップリンク制御情報を受信する前に、前記第1基地局が高位層シグナリングを介し前記端末へ設定情報を送信して、前記第１ＰＵＣＣＨリソースを指示し、又は、前記第1基地局がＰＤＣＣＨ又はＥＰＤＣＣＨ中のＡＲＩにより前記基地局が予め前記端末に設定した複数のＰＵＣＣＨリソース中の少なくとも１つのＰＵＣＣＨリソースを前記第１ＰＵＣＣＨリソースにするよう前記端末に指示するステップと、
及び／又は、
前記第1基地局が高位層シグナリングを介し前記端末へ設定情報を送信して、前記第２ＰＵＣＣＨリソースを指示し、又は、前記第1基地局は前記第２基地局が前記１つのアップリンクキャリアにおいて用いられるすべてのＰＵＣＣＨリソースを前記第２基地局に予め通知し、前記第２基地局が前記端末のために前記第２ＰＵＣＣＨリソースを設定するようにさせるステップと、
をさらに含むことを特徴とする請求項５記載のフィードバック情報の受信方法。
【請求項７】
前記ＡＲＩは、
前記第１基地局及び前記第２基地局が送信するＥＰＤＣＣＨ中の固定ビットフィールドであり、又は、
前記第１基地局及び前記第２基地局が送信するＰＤＣＣＨ中の増加されたビットフィールドであり、又は、
前記第１基地局が時分割多重（ＴＤＤ）システムを用いる場合、前記第１基地局が送信したプライマリーキャリア（ＰＣＣ）に対応するダウンリンク割当インデックスＤＡＩが１であるＰＤＣＣＨ以外のすべてのＰＤＣＣＨ中の多重化された送信電力制御（ＴＰＣ）フィールドである、
ことを特徴とする請求項６記載のフィードバック情報の受信方法。
【請求項８】
第１キャリアにおいてデータを受信しかつ第２キャリアにおいてデータを受信し、前記第１キャリアにおけるデータは第１基地局によりスケジューリングされ、前記第２キャリアにおけるデータは第２基地局によりスケジューリングされる、受信モジュールと、
前記第１キャリアに対し第１アップリンク制御情報を生成し、前記第２キャリアに対し第２アップリンク制御情報を生成する、処理モジュールと、
１つのアップリンクキャリアにおいて、ＰＵＣＣＨ及び／又はＰＵＳＣＨにより、前記送信モジュールが生成したアップリンク制御情報を送信し、前記アップリンク制御情報は前記第１アップリンク制御情報及び前記第２アップリンク制御情報中の少なくとも１つの情報を含む、送信モジュールと、
を含み、
前記処理モジュールは、
もし前記１つのアップリンクキャリアにおいて前記第１基地局によりスケジューリングされる第１ＰＵＳＣＨが存在すれば、前記送信モジュールをトリガーして前記１つのアップリンクキャリアにおいて、前記第１ＰＵＳＣＨにより前記第１アップリンク制御情報を送信し、さもないと、前記送信モジュールをトリガーして前記１つのアップリンクキャリアにおいて、第１ＰＵＣＣＨリソースを用いた第１ＰＵＣＣＨにより前記第１アップリンク制御情報を送信し、もし前記１つのアップリンクキャリアにおいて前記第２基地局によりスケジューリングされる第２ＰＵＳＣＨが存在すれば、前記送信モジュールをトリガーして前記１つのアップリンクキャリアにおいて、前記第２ＰＵＳＣＨにより前記第２アップリンク制御情報を送信し、さもないと、前記送信モジュールをトリガーして前記１つのアップリンクキャリアにおいて、第２ＰＵＣＣＨリソースを用いた第２ＰＵＣＣＨにより前記第２アップリンク制御情報を送信し、
前記第１ＰＵＣＣＨリソースと前記第２ＰＵＣＣＨリソースとは異なる
ことを特徴とする端末。
【請求項９】
もし前記アップリンク制御情報にＡＣＫ／ＮＡＣＫフィードバック情報が含まれていれば、前記処理モジュールは、
前記第１キャリアにおいてデータを受信したダウンリンクサブフレームに対しＡＣＫ／ＮＡＣＫを生成し、前記第１キャリアにおいてデータを受信していないダウンリンクサブフレームに対しＮＡＣＫ／不連続送信（ＤＴＸ）を生成し、これにより、前記第１キャリアに対応するＡＣＫ／ＮＡＣＫフィードバック情報を構成し、ここで、もし前記第１キャリアにていかなるデータも受信していなければ、前記第１キャリアに対応するＡＣＫ／ＮＡＣＫフィードバック情報を生成せず、
前記第２キャリアにおいてデータを受信したダウンリンクサブフレームに対しＡＣＫ／ＮＡＣＫを生成し、前記第２キャリアにおいてデータを受信していないダウンリンクサブフレームに対しＮＡＣＫ／ＤＴＸを生成し、これにより、前記第２キャリアに対応するＡＣＫ／ＮＡＣＫフィードバック情報を構成し、もし前記第２キャリアにていかなるデータも受信していなければ、前記第２キャリアに対応するＡＣＫ／ＮＡＣＫフィードバック情報を生成しないことを特徴とする請求項８記載の端末。
【請求項１０】
、もし前記アップリンク制御情報にＡＣＫ／ＮＡＣＫフィードバック情報が含まれていれば、前記処理モジュールは、
受信された前記第１基地局が高位層シグナリングを介し送信した設定情報に基づき、前記第１ＰＵＣＣＨに用いられる第１ＰＵＣＣＨリソースを確定し、又は、受信された前記第１基地局が送信したＰＤＣＣＨ又はＥＰＤＣＣＨ中のＡＲＩに基づき、前記第１基地局が当該端末に予め設定した複数のＰＵＣＣＨリソース中の少なくとも１つのＰＵＣＣＨリソースを前記第１ＰＵＣＣＨリソースとし、
及び／又は、
受信された前記第１基地局が送信した設定情報に基づき、前記第２ＰＵＣＣＨに用いられる第２ＰＵＣＣＨリソースを確定し、又は、受信された前記第２基地局が送信した設定情報に基づき、前記第２ＰＵＣＣＨに用いられる第２ＰＵＣＣＨリソースを確定し、又は、受信された前記第２基地局が送信したＰＤＣＣＨ又はＥＰＤＣＣＨ中のＡＲＩに基づき、前記第２ＰＵＣＣＨに用いられる第２ＰＵＣＣＨリソースを確定し、前記第２ＰＵＣＣＨリソースは前記第１基地局が前記第２基地局に予め通知した前記第２基地局が用いられるすべてのＰＵＣＣＨリソース中の少なくとも１つのＰＵＣＣＨリソースであり、
もし前記アップリンク制御情報にＣＳＩフィードバック情報が含まれていれば、前記処理モジュールはさらに、
受信された前記第１基地局が高位層シグナリングを介し送信した設定情報に基づき、前記第１ＰＵＣＣＨに用いられる第１ＰＵＣＣＨリソースを確定し、
及び／又は、
受信された前記第１基地局が高位層シグナリングを介し送信した設定情報に基づき、前記第２ＰＵＣＣＨに用いられる第２ＰＵＣＣＨリソースを確定し、又は、受信された前記第２基地局が送信した設定情報に基づき、前記第２ＰＵＣＣＨに用いられる第２ＰＵＣＣＨリソースを確定し、ここで、前記第２ＰＵＣＣＨリソースは前記第１基地局が前記第２基地局に予め通知した前記第２基地局が用いられるすべてのＰＵＣＣＨリソース中の少なくとも１つのＰＵＣＣＨリソースであることを特徴とする請求項８記載の端末。
【請求項１１】
第１キャリアにおいて端末にデータを送信し、前記端末には、少なくとも前記第１キャリア及び第２キャリアが設定され、前記第１キャリアのデータは前記基地局によりスケジューリングされ、前記第２キャリアのデータは第２基地局によりスケジューリングされる、データ送信モジュールと、
１つのアップリンクキャリアにおいて、ＰＵＣＣＨ又はＰＵＳＣＨにより前記端末が送信したアップリンク制御情報を受信し、前記１つのアップリンクキャリアは前記端末へデータをスケジューリングする各基地局に対応するアップリンク制御情報を送信するために用いられる、処理モジュールと、
を含み、
前記処理モジュールは、
もし前記第１キャリアにおいて第１ＰＵＳＣＨをスケジューリングしたならば、前記１つのアップリンクキャリアにおいて、前記第１ＰＵＳＣＨにより前記アップリンク制御情報を受信し、さもないと、前記１つのアップリンクキャリアにおいて、第１ＰＵＣＣＨリソースを用いた第１ＰＵＣＣＨにより前記アップリンク制御情報を受信し、前記アップリンク制御情報は前記第１アップリンク制御情報を含み、ただし前記第２アップリンク制御情報は含まない、
ことを特徴とする基地局。
【請求項１２】
もし前記アップリンク制御情報にＣＳＩフィードバック情報が含まれていれば、前記処理モジュールはさらに、
高位層シグナリングを介し前記端末へ設定情報を送信して、前記第１ＰＵＣＣＨリソースを指示し、
及び／又は、
高位層シグナリングを介し前記端末へ設定情報を送信して、前記第２ＰＵＣＣＨリソースを指示し、又は、前記第２基地局が前記１つのアップリンクキャリアにおいて用いられるすべてのＰＵＣＣＨリソースを前記第２基地局に予め通知し、前記第２基地局が前記端末のために前記第２ＰＵＣＣＨリソースを設定するようにさせることを特徴とする請求項１１記載の基地局。
【発明の詳細な説明】
【技術分野】
【０００１】
本発明は通信技術分野に関し、特にフィードバック情報の伝送方法及び装置に関する。
【背景技術】
【０００２】
本出願は、２０１３年７月２３日に中国特許局に提出し、出願番号が201310311855.1であり、発明名称が「フィードバック情報の伝送方法及び装置」との中国特許出願を基礎とする優先権を主張し、その開示の総てをここに取り込む。
【０００３】
技術の進化とデータトラフィックの増加に伴って、ＬＴＥ（Ｌｏｎｇ  Ｔｅｒｍ  Ｅｖｏｌｕｔｉｏｎ、長期的進化）システムの後続リーリスでは、端末が複数の基地局の下に設定される（即ち、デュアル接続、Ｄｕａｌ  Ｃｏｎｎｅｃｔｉｖｉｔｙ）シーンが現れる可能性がある。
【０００４】
例えば、端末のためにマスター進化型ノードＢ（Ｍａｓｔｅｒ  Ｅｖｏｌｖｅｄ  Ｎｏｄｅ  Ｂ，ＭｅＮＢ）及び少なくとも1つのセカンドリー進化型ノード（Ｓｅｃｏｎｄａｒｙ  ｅＮＢ，ＳｅＮＢ）が設定される。ＤｕａｌＣｏｎｎｅｃｔｉｖｉｔｙ応用シーンにおいて、少なくともＳ１−ＭＭＥ（ＭＭＥはモビリティ管理エンティティを示し、Ｓ１はＭＭＥまでのＳ１インタフェースを示し、ＭＭＥ，Ｍｏｂｉｌｅ  Ｍａｎａｇｅｍｅｎｔ  Ｅｎｔｉｔｙ）が当該ＭｅＮＢで終止し、そのため、コアネットワークにとって、当該ＭｅＮＢは移動性アンカーとみなすことができる。ＳｅＮＢは、ＭｅＮＢ以外において余分な無線リソースを端末に提供する。
【０００５】
Ｄｕａｌ  Ｃｏｎｎｅｃｔｉｖｉｔｙシーンでは、異なる基地局によりスケジューリングされるセル及び／又はキャリアに使用されるフレーム構造は同一でも異なっても良い。例えば、端末が異なる基地局によりスケジューリングされる各キャリアにおいていずれも周波数分割多重（Ｆｒｅｑｕｅｎｃｙ  Ｄｉｖｉｓｉｏｎ  Ｄｕｐｌｅｘ，ＦＤＤ）フレーム構造を用い、または、端末が異なる基地局によりスケジューリングされる各キャリアにおいていずれも時分割多重（Ｔｉｍｅ  Ｄｉｖｉｓｉｏｎ  Ｄｕｐｌｅｘ，ＴＤＤ）フレーム構造を用い（ここで、異なる基地局によりスケジューリングされる各キャリアに使用されるＴＤＤアップリンク／ダウンリンク構成は同一でも異なっても良い）、または、端末があるバンド中の各キャリアにおいてＦＤＤフレーム構造を用い、他のバンド中の各キャリアにおいてＴＤＤフレーム構造を用いる。
【０００６】
Ｄｕａｌ  Ｃｏｎｎｅｃｔｉｖｉｔｙシーンでは、端末に接続される複数の基地局はそれぞれ対応するダウンリンクキャリア集合において独立してスケジューリングを行い。ここで、端末のデータスケジューリング及び送信方法は以下の３種類のオプション（Ｏｐｔｉｏｎ）形態を含む。
【０００７】
Ｏｐｔｉｏｎ１：ＭｅＮＢのベアラ（ｂｅａｒｅｒ）はゲートウェイ（例えばサービングゲートウェイＳ−ＧＷ、Ｓｅｒｖｉｎｇ  ＧａｔｅＷａｙ）から直接ＭｅＮＢへ；ＳｅＮＢのベアラはゲートウェイから直接ＳｅＮＢへ、すなわちＳｅＮＢのベアラはＭｅＮＢのルートを通さなくても良く、図１に示す通りである。
【０００８】
Ｏｐｔｉｏｎ２：ＭｅＮＢのベアラはゲートウェイから直接ＭｅＮＢへ、ＳｅＮＢのベアラは、まずゲートウェイからＭｅＮＢへ、またＭｅＮＢからすべてのベアラをＳｅＮＢに分流し、すなわちＳｅＮＢのベアラは分離せず、図２に示す通りである。
【０００９】
Ｏｐｔｉｏｎ３：ＭｅＮＢのベアラはゲートウェイから直接ＭｅＮＢへ；ＳｅＮＢのベアラは、まずゲートウェイからＭｅＮＢへ、またＭｅＮＢから一部のベアラをＳｅＮＢに分流し、一部のベアラはＭｅＮＢ側に残ったまま送信を行い、すなわちＳｅＮＢのベアラは分離し、図３に示す通りである。
【００１０】
無線電波の複雑度、コストを勘案して、端末は、アップリンクにおいて単一セル/キャリア送信のみを行う場合もある。上記デュアル接続シーンで動作する端末にとって、端末は、アップリンクにおいてたった１つのアップリンクキャリアのみで送信を行うため、端末は、異なる基地局によりスケジューリングされるダウンリンクキャリアで生成されたアップリンク制御情報については、いずれも当該１つのアップリンクキャリアを介して各基地局にフィードバックしなければならない。例えば端末が受信した複数の基地局からのダウンリンクデータの肯定応答（Ａｃｋｎｏｗｌｅｄｇｅｍｅｎｔ，ＡＣＫ）／否定応答（Ｎｅｇａｔｉｖｅ  Ａｃｋｎｏｗｌｅｄｇａｍｅｎｔ，ＮＡＣＫ）フイードバック情報は必ず当該１つのアップリンクキャリアを介して各基地局にフィードバックしなければならず、また例えば、端末が異なる基地局によりスケジューリングされるダウンリンクキャリアに対し生成したチャネル状態情報（Ｃｈａｎｎｅｌ  Ｓｔａｔｅ  Ｉｎｆｏｒｍａｔｉｏｎ，ＣＳＩ）も当該１つのアップリンクキャリアを介して各基地局にフィードバックしなければならない。
【００１１】
しかしながら、デュアル接続シーンにとって、複数の基地局によりそれぞれスケジューリングされるダウンリンクキャリアに対応するアップリンク制御情報を送信する技術案は、まだ案出されていない。
【発明の概要】
【発明が解決しようとする課題】
【００１２】
本発明の実施例はフィードバック情報の伝送方法及び装置を提供し、デュアル接続シーンにおいて、複数の基地局によりそれぞれスケジューリングされるダウンリンクキャリアに対応するアップリンク制御情報を送信する技術案が現在まだ存在しない問題を解決するためである。
【課題を解決するための手段】
【００１３】
本発明の実施例はフィードバック情報の伝送方法を提供し、当該方法は、
端末が、第１キャリアにてデータを受信し、かつ第２キャリアにてデータを受信し、前記第１キャリア上のデータは第１基地局によりスケジューリングされ、前記第２キャリア上のデータは第２基地局によりスケジューリングされるステップと、
前記端末が、前記第１キャリアに対し第１アップリンク制御情報を生成し、及び／又は、前記端末が、前記第２キャリアに対し第２アップリンク制御情報を生成するステップと、
前記端末が、１つのアップリンクキャリアにおいて、物理アップリンク制御チャネル（ＰＵＣＣＨ）及び／又は物理アップリンク共有チャネル（ＰＵＳＣＨ）を通して、前記端末が生成したアップリンク制御情報を送信し、前記アップリンク制御情報が前記第１アップリンク制御情報及び前記第２アップリンク制御情報中の少なくとも１つの情報を含むステップとを含む。
【００１４】
本発明の実施例が提供するフィードバック情報の伝送方法を採用すれば、端末は、異なる基地局によりスケジューリングされるダウンリンクキャリアにてデータを受信し、かつ１つのみのアップリンクキャリアにてアップリンクデータを送信する際、当該１つのアップリンクキャリアにおいてＰＵＣＣＨ及び／又はＰＵＳＣＨを介し複数の基地局によりスケジューリングされるダウンリンクデータに対応するフィードバック情報を送信する。これにより、アップリンクデータが１つのみのアップリンクキャリアにて送信される端末が異なる基地局によりスケジューリングされたダウンリンクキャリアに対し適時にフィードバックを行うことを確保し、また、異なる基地局が当該基地局によりスケジューリングされたダウンリンクキャリアに対応するＡＣＫ／ＮＡＣＫ及びＣＳＩなどのフィードバック情報を適時に取得するように確保し、なお当該基地局に対応するフィードバック情報に基づきスケジューリング及び再送を行い、システムのスループット及び効率を向上できる。
【００１５】
実施において、前記端末が、前記１つのアップリンクキャリアにおいて、前記ＰＵＣＣＨ及び／又はＰＵＳＣＨを介して前記アップリンク制御情報を送信することは、
方法１にて、前記端末は、前記１つのアップリンクキャリアにおいて、同じＰＵＣＣＨ又はＰＵＳＣＨを介して前記第１アップリンク制御情報及び前記第２アップリンク制御情報を同時に送信し、または、
方法２にて、前記端末は、前記１つのアップリンクキャリアにおいて、第１ＰＵＣＣＨリソースを用いた第１ＰＵＣＣＨを介して前記第１アップリンク制御情報を送信し、及び／又は前記１つのアップリンクキャリアにおいて、第２ＰＵＣＣＨリソースを用いた第２ＰＵＣＣＨを介し前記第２アップリンク制御情報を送信し、または、
方法３にて、前記１つのアップリンクキャリアにおいて前記第１基地局によりスケジューリングされた第１ＰＵＳＣＨが存在すれば、前記端末は、前記１つのアップリンクキャリアにおいて、前記第１ＰＵＳＣＨを介し前記第１アップリンク制御情報を送信し、さもないと、前記端末は、前記１つのアップリンクキャリアにおいて、第１ＰＵＣＣＨリソースを用いた第１ＰＵＣＣＨを介し前記第１アップリンク制御情報を送信し、及び／又は、前記１つのアップリンクキャリアにおいて、前記第２基地局によりスケジューリングされた第２ＰＵＳＣＨが存在すれば、前記端末は、前記１つのアップリンクキャリアにおいて、前記第２ＰＵＳＣＨを用いて前記第２アップリンク制御情報を送信し、さもないと、前記端末は、前記１つのアップリンクキャリアにおいて、第２ＰＵＣＣＨリソースを用いた第２ＰＵＣＣＨを介し前記第２アップリンク制御情報を送信し、
前記第１ＰＵＣＣＨリソースと前記第２ＰＵＣＣＨリソースとは異なる、ことを含む。
【００１６】
方法1について、
前記端末は、設定のカスケード形態を採用し、前記第１アップリンク制御情報及び前記第２アップリンク制御情報をカスケード処理し、なお、
前記端末は、前記１つのアップリンクキャリアにおける同じＰＵＣＣＨまたはＰＵＳＣＨにおいてカスケード処理済みのアップリンク制御情報を送信する。
【００１７】
方法1について、もし前記アップリンク制御情報に肯定応答（ＡＣＫ）／否定応答（ＮＡＣＫ）フィードバック情報が含まれていれば、
前記端末が前記第１キャリアに対し第１アップリンク制御情報を生成することは、以下通りであり、即ち、
前記端末は、前記第１キャリアにおいてデータを受信したダウンリンクサブフレームに対しＡＣＫ／ＮＡＣＫを生成し、前記第１キャリアにおいてデータを受信していないダウンリンクサブフレームに対しＮＡＣＫ／不連続送信（ＤＴＸ）を生成し、これにより、前記第１キャリアに対応するＡＣＫ／ＮＡＣＫフィードバック情報を構成し、もし前記第１キャリアにおいていかなるデータも受信していなければ、前記端末は、ＮＡＣＫ／ＤＴＸを前記第１キャリアに対応するＡＣＫ／ＮＡＣＫフィードバック情報とし、
前記端末が前記第２キャリアに対し第２アップリンク制御情報を生成することは、以下通りであり、即ち、
前記端末は、前記第２キャリアにおいてデータを受信したダウンリンクサブフレームに対しＡＣＫ／ＮＡＣＫを生成し、前記第２キャリアにおいてデータを受信していないダウンリンクサブフレームに対しＮＡＣＫ／ＤＴＸを生成し、これにより、前記第２キャリアに対応するＡＣＫ／ＮＡＣＫフィードバック情報を構成し、もし前記第２キャリアにおいていかなるデータも受信していなければ、前記端末は、ＮＡＣＫ／ＤＴＸを前記第２キャリアに対応するＡＣＫ／ＮＡＣＫフィードバック情報とする。
【００１８】
方法１について、前記端末が前記１つのアップリンクキャリアにおいて、ＰＵＣＣＨ及び／又はＰＵＳＣＨを介して、前記アップリンク制御情報を送信する前に、さらに、
前記端末は、受信された前記第１基地局が高位層シグナリングを介し送信した設定情報に基づき、前記アップリンク制御情報を送信するのに用いられるＰＵＣＣＨリソースを確定する、ことを含む。
【００１９】
方法２及び方法３について、もし当該アップリンク制御情報にＡＣＫ／ＮＡＣＫフィードバック情報が含まれていれば、
前記端末が前記第１キャリアに対し第１アップリンク制御情報を生成することは、前記端末は、前記第１キャリアにおいてデータを受信したダウンリンクサブフレームに対しＡＣＫ／ＮＡＣＫを生成し、前記第１キャリアにおいてデータを受信していないダウンリンクサブフレームに対しＮＡＣＫ／不連続送信（ＤＴＸ）を生成し、これにより、前記第１キャリアに対応するＡＣＫ／ＮＡＣＫフィードバック情報を構成し、もし前記第１キャリアにおいていかなるデータも受信していなければ、前記端末は、前記第１キャリアに対応するＡＣＫ／ＮＡＣＫフィードバック情報を生成せず、
前記端末が前記第２キャリアに対し第２アップリンク制御情報を生成することは、前記端末は、前記第２キャリアにおいてデータを受信したダウンリンクサブフレームに対しＡＣＫ／ＮＡＣＫを生成し、前記第２キャリアにおいてデータを受信していないダウンリンクサブフレームに対しＮＡＣＫ／ＤＴＸを生成し、これにより、前記第２キャリアに対応するＡＣＫ／ＮＡＣＫフィードバック情報を構成し、もし前記第２キャリアにおいていかなるデータも受信していなければ、前記端末は、前記第２キャリアに対応するＡＣＫ／ＮＡＣＫフィードバック情報を生成しない。
【００２０】
方法２及び方法３について、もし前記アップリンク制御情報にＡＣＫ／ＮＡＣＫフィードバック情報が含まれていれば、前記端末は、前記１つのアップリンクキャリアにおいて、ＰＵＣＣＨ及び／又はＰＵＳＣＨを用い前記アップリンク制御情報を送信する前に、さらに、
前記端末は、受信された前記第１基地局が高位層シグナリングを介し送信した設定情報に基づき、前記第１ＰＵＣＣＨに用いられる第１ＰＵＣＣＨリソースを確定し、又は、前記端末は、受信された前記第１基地局が送信した物理ダウンリンク制御チャネル（ＰＤＣＣＨ）又は拡張物理ダウンリンク制御チャネル（ＥＰＤＣＣＨ）中のＡＣＫ／ＮＡＣＫリソース指標フィールド（ＡＣＫ/ＮＡＣＫ Ｒｅs０urcｅ Iｎｄｉcａt０r, ＡＲＩ）に基づき、前記第１基地局が前記端末に予め設定した複数のＰＵＣＣＨリソース中の少なくとも１つのＰＵＣＣＨリソースを前記第１ＰＵＣＣＨリソースと確定し、
及び／又は、
前記端末は、受信された前記第１基地局が送信した設定情報に基づき、前記第２ＰＵＣＣＨに用いられる第２ＰＵＣＣＨリソースを確定し、又は、前記端末は、受信された前記第２基地局が送信した設定情報に基づき、前記第２ＰＵＣＣＨに用いられる第２ＰＵＣＣＨリソースを確定し、又は、前記端末は、受信された前記第２基地局が送信したＰＤＣＣＨ又はＥＰＤＣＣＨ中のＡＲＩに基づき、前記第２ＰＵＣＣＨに用いられる第２ＰＵＣＣＨリソースを確定し、前記第２ＰＵＣＣＨリソースは、前記第１基地局が第２基地局に予め通知した前記第２基地局が用いられるすべてのＰＵＣＣＨリソース中の少なくとも１つのＰＵＣＣＨリソースであること、を含む。
【００２１】
前記ＡＲＩは、
前記第１基地局及び前記第２基地局が送信するＥＰＤＣＣＨ中の固定ビットフィールドであり、または、
前記第１基地局及び前記第２基地局が送信するＰＤＣＣＨ中の増加されたビットフィールドであり、または、
前記第１基地局が時分割多重（ＴＤＤ）システムを用いる場合、前記第１基地局が送信したプライマリーキャリア（ＰＣＣ）に対応するダウンリンク割当インデックス（D０wｎｌｉｎｋ Ａssｉgｎmｅｎt Iｎｄｅx、ＤＡＩ）が１であるＰＤＣＣＨ以外のすべてのＰＤＣＣＨ中の多重化された送信電力制御（ＴＰＣ）フィールドである。
【００２２】
方法２及び方法３について、もし前記アップリンク制御情報にＣＳＩフィードバック情報が含まれていれば、前記端末が前記１つのアップリンクキャリアにおいて、ＰＵＣＣＨ及び／又はＰＵＳＣＨを介して、前記アップリンク制御情報を送信する前に、さらに、
前記端末は、前記第１基地局が高位層シグナリングを介し送信した設定情報を受信しそれに基づき、前記第１ＰＵＣＣＨに用いられる第１ＰＵＣＣＨリソースを確定し、
及び／又は、
前記端末は、第１基地局が高位層シグナリングを介し送信した設定情報を受信しそれに基づき、前記第２ＰＵＣＣＨに用いられる第２ＰＵＣＣＨリソースを確定し、又は、前記端末は、前記第２基地局が送信した設定情報を受信しそれに基づき、前記第２ＰＵＣＣＨに用いられる第２ＰＵＣＣＨリソースを確定し、前記第２ＰＵＣＣＨリソースは前記第１基地局が前記第２基地局に予め通知した前記第２基地局が用いられるすべてのＰＵＣＣＨリソース中の少なくとも１つのＰＵＣＣＨリソースである、ことを含む。
【００２３】
前記第１基地局は主基地局であり、かつ前記第２基地局は補助基地局であり、又は、前記第１基地局は補助基地局であり、かつ前記第２基地局は主基地局であり、又は、前記第１基地局はマクロセル基地局であり、かつ前記第２基地局はスモールセル基地局であり、又は、前記第１基地局はスモールセル基地局であり、かつ前記第２基地局はマクロセル基地局であり、又は、前記第１基地局はプライマリーキャリア（ＰＣＣ）をを介して前記端末とデータ伝送を行う基地局であり、かつ前記第２基地局は少なくとも１つのセカンドリーキャリア（ＳＣＣ）を介して前記端末とデータ伝送を行う基地局である。
【００２４】
前記１つのアップリンクキャリアは、ネットワーク側が前記端末のだけのために設定したアップリンクデータ送信用のアップリンクキャリアであり、又は、ネットワーク側から前記端末のために設定したアップリンクデータを送信するための複数のアップリンクキャリアの中から、予め指定又は予め設定された１つのアップリンクキャリアであり、又は、前記端末のアップリンクプライマリーキャリアである。
【００２５】
上記フィードバック情報の伝送方法に基づき、本発明の実施例はさらにフィードバック情報の受信方法を提供し、当該方法は、
第１基地局は、第１キャリアにおいて端末へデータを送信し、前記端末には、少なくとも前記第１キャリア及び第２キャリアが設定され、前記第１キャリアのデータは前記第１基地局によりスケジューリングされ、前記第２キャリアのデータは第２基地局によりスケジューリングされるステップと、
前記第１基地局は、１つのアップリンクキャリアにおいて、ＰＵＣＣＨ又はＰＵＳＣＨにより前記端末が送信したアップリンク制御情報を受信し、前記１つのアップリンクキャリアは前記端末へデータをスケジューリングする各基地局に対応するアップリンク制御情報の送信に用いられるステップと、を含む。
【００２６】
本発明の実施例が提供するフィードバック情報の受信方法を採用すれば、端末へデータをスケジューリングする異なる基地局は当該端末のアップリンク制御情報を送信する１つのみのアップリンクキャリアにおいて、ＰＵＣＣＨ及び／又はＰＵＳＣＨを介し当該端末が送信したアップリンク制御情報を受信することができ、異なる基地局が当該基地局によりスケジューリングされたダウンリンクキャリアに対応するＡＣＫ／ＮＡＣＫ及びＣＳＩなどのフィードバック情報を適時に取得するように確保し、なお当該基地局に対応するフィードバック情報に基づきスケジューリング及び再送を行い、システムのスループット及び効率を向上できる。
【００２７】
実施において、前記第１基地局が１つのアップリンクキャリアにおいて、ＰＵＣＣＨ又はＰＵＳＣＨにより前記端末が送信したアップリンク制御情報を受信することは、方法１と、方法２と、方法3とを含み、即ち、
方法１にて、前記第１基地局は前記１つのアップリンクキャリアにおいて、１つのＰＵＣＣＨ又はＰＵＳＣＨを介し前記アップリンク制御情報を受信し、前記アップリンク制御情報は前記第１アップリンク制御情報及び前記第２アップリンク制御情報を含み、または、
方法２にて、前記第１基地局は前記１つのアップリンクキャリアにおいて、第１ＰＵＣＣＨリソースを用いた第１ＰＵＣＣＨを介し前記アップリンク制御情報を受信し、前記アップリンク制御情報は前記第１アップリンク制御情報を含み、ただし前記第２アップリンク制御情報は含まず、または、
方法３にて、もし前記第１基地局が前記第１キャリアにて第１ＰＵＳＣＨをスケジューリングしたなら、前記第１基地局は前記1つのアップリンクキャリアにおいて、前記第１ＰＵＳＣＨにて前記アップリンク制御情報を受信し、さもないと、前記第１基地局は前記１つのアップリンクキャリアにおいて、第１ＰＵＣＣＨリソースを用いた第１ＰＵＣＣＨを介し前記アップリンク制御情報を受信し、前記アップリンク制御情報は前記第１アップリンク制御情報を含み、ただし前記第２アップリンク制御情報は含まない。
【００２８】
方法１について、前記第1基地局が前記１つのアップリンクキャリアにおいて前記アップリンク制御情報を受信した後に、さらに、前記第1基地局は設定のカスケード形態に基づき、前記アップリンク制御情報から前記第１アップリンク制御情報を取得する、ことを含む。
【００２９】
方法１について、前記第1基地局は前記１つのアップリンクキャリアにおいて前記アップインク制御情報を受信する前に、さらに、前記第1基地局は高位層シグナリングを介し前記端末へ設定情報を送信して、前記アップリンク制御情報の送信に用いる少なくとも１つのＰＵＣＣＨリソースを前記端末に指示する、ことを含む。
【００３０】
方法１について、さらに、前記第1基地局は前記端末に設定したＰＵＣＣＨリソースを前記第２基地局に通知する、ことを含む。
【００３１】
方法２及び方法３について、もし前記アップリンク制御情報にＡＣＫ／ＮＡＣＫフィードバック情報が含まれていれば、前記第1基地局は前記１つのアップリンクキャリアにおいて前記アップリンク制御情報を受信する前に、さらに、
前記第1基地局は高位層シグナリングを介し前記端末へ設定情報を送信して、前記第１ＰＵＣＣＨリソースを指示し、又は、前記第1基地局はＰＤＣＣＨ又はＥＰＤＣＣＨ中のＡＲＩにより前記基地局が予め前記端末に設定した複数のＰＵＣＣＨリソース中の少なくとも１つのＰＵＣＣＨリソースを前記第１ＰＵＣＣＨリソースにするよう前記端末に指示し、
及び／又は、
前記第1基地局は高位層シグナリングを介し前記端末へ設定情報を送信して、前記第２ＰＵＣＣＨリソースを指示し、又は、前記第1基地局は前記第２基地局が前記１つのアップリンクキャリアにおいて用いられるすべてのＰＵＣＣＨリソースを前記第２基地局に予め通知し、前記第２基地局が前記端末のために前記第２ＰＵＣＣＨリソースを設定するようにさせる、ことを含む。
【００３２】
上記方法２及び方法３において、前記ＡＲＩは、
前記第１基地局及び前記第２基地局が送信するＥＰＤＣＣＨ中の固定ビットフィールドであり、又は、
前記第１基地局及び前記第２基地局が送信するＰＤＣＣＨ中の増加されたビットフィールドであり、又は、
前記第１基地局が時分割多重（ＴＤＤ）システムを用いる場合、前記第１基地局が送信したプライマリーキャリア（ＰＣＣ）に対応するダウンリンク割当インデックスＤＡＩが１であるＰＤＣＣＨ以外のすべてのＰＤＣＣＨ中の多重化された送信電力制御（ＴＰＣ）フィールドである。
【００３３】
方法２及び方法３について、もし前記アップリンク制御情報にＣＳＩフィードバック情報が含まれていれば、前記第1基地局は前記１つのアップリンクキャリアにおいて前記アップリンク制御情報を受信する前に、さらに、
前記第1基地局は高位層シグナリングを介し前記端末へ設定情報を送信して、前記第１ＰＵＣＣＨリソースを指示し、
及び／又は、
前記第1基地局は高位層シグナリングを介し前記端末へ設定情報を送信して、前記第２ＰＵＣＣＨリソースを指示し、又は、前記第1基地局は前記第２基地局が前記１つのアップリンクキャリアにおいて用いられるすべてのＰＵＣＣＨリソースを前記第２基地局に予め通知し、前記第２基地局が前記端末のために前記第２ＰＵＣＣＨリソースを設定するようにさせる、ことを含む。
【００３４】
本発明の実施例において、前記第１基地局は主基地局であり、かつ前記第２基地局は補助基地局であり、又は、前記第１基地局は補助基地局であり、かつ前記第２基地局は主基地局であり、又は、前記第１基地局はマクロセル基地局であり、かつ前記第２基地局はスモールセル基地局であり、又は、前記第１基地局はスモールセル基地局であり、かつ前記第２基地局はマクロセル基地局であり、又は、前記第１基地局はプライマリーキャリア（ＰＣＣ）をを介して前記端末とデータ伝送を行う基地局であり、かつ前記第２基地局は少なくとも１つのセカンドリーキャリア（ＳＣＣ）を介して前記端末とデータ伝送を行う基地局である。
【００３５】
本発明の実施例において、前記１つのアップリンクキャリアは、
ネットワーク側が前記端末のために設定したアップリンクデータ送信用の１つだけのアップリンクキャリアであり、又は、ネットワーク側から前記端末のために設定したアップリンクデータを送信するための複数のアップリンクキャリアの中から、予め指定又は予め設定された１つのアップリンクキャリアであり、又は、前記端末のアップリンクプライマリーキャリアである。
【００３６】
本発明の実施例は端末を提供し、当該端末は、
第１キャリアにおいてデータを受信しかつ第２キャリアにおいてデータを受信し、前記第１キャリアにおけるデータは第１基地局によりスケジューリングされ、前記第２キャリアにおけるデータは第２基地局によりスケジューリングされる、受信モジュールと、
前記第１キャリアに対し第１アップリンク制御情報を生成し、及び／又は、前記第２キャリアに対し第２アップリンク制御情報を生成する、処理モジュールと、
１つのアップリンクキャリアにおいて、ＰＵＣＣＨ及び／又はＰＵＳＣＨにより、前記送信モジュールが生成したアップリンク制御情報を送信し、前記アップリンク制御情報は前記第１アップリンク制御情報及び前記第２アップリンク制御情報中の少なくとも１つの情報を含む、送信モジュールと、を含む。
【００３７】
実施において、前記処理モジュールは、
方法１にて、前記送信モジュールをトリガーして前記１つのアップリンクキャリアにおいて、同じＰＵＣＣＨ又はＰＵＳＣＨにより前記第１アップリンク制御情報及び前記第２アップリンク制御情報を同時に送信し、又は、
方法２にて、前記送信モジュールをトリガーして前記１つのアップリンクキャリアにおいて、第１ＰＵＣＣＨリソースを用いた第１ＰＵＣＣＨにより前記第１アップリンク制御情報を送信し、及び／又は前記１つのアップリンクキャリアにおいて、第２ＰＵＣＣＨリソースを用いた第２ＰＵＣＣＨにより前記第２アップリンク制御情報を送信し、又は、
方法３にて、もし前記１つのアップリンクキャリアにおいて前記第１基地局によりスケジューリングされる第１ＰＵＳＣＨが存在すれば、前記送信モジュールをトリガーして前記１つのアップリンクキャリアにおいて、前記第１ＰＵＳＣＨにより前記第１アップリンク制御情報を送信し、さもないと、前記送信モジュールをトリガーして前記１つのアップリンクキャリアにおいて、第１ＰＵＣＣＨリソースを用いた第１ＰＵＣＣＨにより前記第１アップリンク制御情報を送信し、及び／又は、もし前記１つのアップリンクキャリアにおいて前記第２基地局によりスケジューリングされる第２ＰＵＳＣＨが存在すれば、前記送信モジュールをトリガーして前記１つのアップリンクキャリアにおいて、前記第２ＰＵＳＣＨにより前記第２アップリンク制御情報を送信し、さもないと、前記送信モジュールをトリガーして前記１つのアップリンクキャリアにおいて、第２ＰＵＣＣＨリソースを用いた第２ＰＵＣＣＨにより前記第２アップリンク制御情報を送信し、
前記第１ＰＵＣＣＨリソースと前記第２ＰＵＣＣＨリソースとは異なる。
【００３８】
方法１について、前記処理モジュールは、
設定のカスケード形態を採用し、前記第１アップリンク制御情報及び前記第２アップリンク制御情報をカスケード処理し、なお前記１つのアップリンクキャリアの同じＰＵＣＣＨ又はＰＵＳＣＨにおいてカスケード処理済みのアップリンク制御情報を送信する。
【００３９】
方法１について、もし前記アップリンク制御情報に肯定応答（ＡＣＫ）／否定応答（ＮＡＣＫ）フィードバック情報が含まれていれば、前記処理モジュールは、
前記第１キャリアにおいてデータを受信したダウンリンクサブフレームに対しＡＣＫ／ＮＡＣＫを生成し、前記第１キャリアにおいてデータを受信していないダウンリンクサブフレームに対しＮＡＣＫ／不連続送信（ＤＴＸ）を生成し、これにより、前記第１キャリアに対応するＡＣＫ／ＮＡＣＫフィードバック情報を構成し、もし前記第１キャリアにていかなるデータも受信していなければ、ＮＡＣＫ／ＤＴＸを前記第１キャリアに対応するＡＣＫ／ＮＡＣＫフィードバック情報とし、
前記第２キャリアにおいてデータを受信したダウンリンクサブフレームに対しＡＣＫ／ＮＡＣＫを生成し、前記第２キャリアにおいてデータを受信していないダウンリンクサブフレームに対しＮＡＣＫ／ＤＴＸを生成し、これにより、前記第２キャリアに対応するＡＣＫ／ＮＡＣＫフィードバック情報を構成し、もし前記第２キャリアにていかなるデータも受信していなければ、ＮＡＣＫ／ＤＴＸを前記第２キャリアに対応するＡＣＫ／ＮＡＣＫフィードバック情報とする。
【００４０】
さらに、方法１について、前記処理モジュールは
受信された前記第１基地局が高位層シグナリングを介し送信した設定情報に基づき、前記アップリンク制御情報の送信に用いるＰＵＣＣＨリソースを確定する。
【００４１】
方法２及び方法３について、もし前記アップリンク制御情報にＡＣＫ／ＮＡＣＫフィードバック情報が含まれていれば、前記処理モジュールは、
前記第１キャリアにおいてデータを受信したダウンリンクサブフレームに対しＡＣＫ／ＮＡＣＫを生成し、前記第１キャリアにおいてデータを受信していないダウンリンクサブフレームに対しＮＡＣＫ／不連続送信（ＤＴＸ）を生成し、これにより、前記第１キャリアに対応するＡＣＫ／ＮＡＣＫフィードバック情報を構成し、もし前記第１キャリアにていかなるデータも受信していなければ、前記第１キャリアに対応するＡＣＫ／ＮＡＣＫフィードバック情報を生成せず、
前記第２キャリアにおいてデータを受信したダウンリンクサブフレームに対しＡＣＫ／ＮＡＣＫを生成し、前記第２キャリアにおいてデータを受信していないダウンリンクサブフレームに対しＮＡＣＫ／ＤＴＸを生成し、これにより、前記第２キャリアに対応するＡＣＫ／ＮＡＣＫフィードバック情報を構成し、もし前記第２キャリアにていかなるデータも受信していなければ、前記第２キャリアに対応するＡＣＫ／ＮＡＣＫフィードバック情報を生成しない。
【００４２】
方法２及び方法３について、もし前記アップリンク制御情報にＡＣＫ／ＮＡＣＫフィードバック情報が含まれていれば、前記処理モジュールは、
受信された前記第１基地局が高位層シグナリングを介し送信した設定情報に基づき、前記第１ＰＵＣＣＨに用いられる第１ＰＵＣＣＨリソースを確定し、又は、受信された前記第１基地局が送信したＰＤＣＣＨ又はＥＰＤＣＣＨ中のＡＲＩに基づき、前記第１基地局が当該端末に予め設定した複数のＰＵＣＣＨリソース中の少なくとも１つのＰＵＣＣＨリソースを前記第１ＰＵＣＣＨリソースとし、
及び／又は、
受信された前記第１基地局が送信した設定情報に基づき、前記第２ＰＵＣＣＨに用いられる第２ＰＵＣＣＨリソースを確定し、又は、受信された前記第２基地局が送信した設定情報に基づき、前記第２ＰＵＣＣＨに用いられる第２ＰＵＣＣＨリソースを確定し、又は、受信された前記第２基地局が送信したＰＤＣＣＨ又はＥＰＤＣＣＨ中のＡＲＩに基づき、前記第２ＰＵＣＣＨに用いられる第２ＰＵＣＣＨリソースを確定し、前記第２ＰＵＣＣＨリソースは、前記第１基地局が前記第２基地局に予め通知した前記第２基地局が用いられるすべてのＰＵＣＣＨリソース中の少なくとも１つのＰＵＣＣＨリソースである。
【００４３】
さらに、方法２及び方法３について、もし前記アップリンク制御情報にＣＳＩフィードバック情報が含まれていれば、前記処理モジュールは、
受信された前記第１基地局が高位層シグナリングを介し送信した設定情報に基づき、前記第１ＰＵＣＣＨに用いられる第１ＰＵＣＣＨリソースを確定し、
及び／又は、
受信された前記第１基地局が高位層シグナリングを介し送信した設定情報に基づき、前記第２ＰＵＣＣＨに用いられる第２ＰＵＣＣＨリソースを確定し、又は、受信された前記第２基地局が送信した設定情報に基づき、前記第２ＰＵＣＣＨに用いられる第２ＰＵＣＣＨリソースを確定し、前記第２ＰＵＣＣＨリソースは、前記第１基地局が前記第２基地局に予め通知した前記第２基地局が用いられるすべてのＰＵＣＣＨリソース中の少なくとも１つのＰＵＣＣＨリソースである。
【００４４】
さらに、本発明の実施例はもう一種の端末を提供し、当該端末は、送受信機、及び送受信機に接続される少なくとも１つのプロセッサを含み、
前記送受信機は、第１キャリアにおけるデータの受信及び第２キャリアにおけるデータの受信のために設定され、第１キャリアのデータは第１基地局によりスケジューリングされ、第２キャリアのデータは第２基地局によりスケジューリングされ、
前記プロセッサは、第１キャリアに対した第１アップリンク制御情報の生成、及び／又は、第２キャリアに対した第２アップリンク制御情報の生成のために設定され、さらに当該送受信機をトリガーして１つのアップリンクキャリアにおいて、ＰＵＣＣＨ及び／又はＰＵＳＣＨにより、当該プロセッサにより生成されたアップリンク制御情報を送信し、当該アップリンク制御情報は第１アップリンク制御情報及び第２アップリンク制御情報中の少なくとも１つの情報を含む。
【００４５】
実施において、プロセッサは具体的には以下のように用いられるために設定され、すなわち、
方法１、送受信機をトリガーして当該１つのアップリンクキャリアにおいて、同じＰＵＣＣＨ又はＰＵＳＣＨにより第１アップリンク制御情報及び第２アップリンク制御情報を同時に送信し、又は、
方法２、送受信機をトリガーして当該１つのアップリンクキャリアにおいて、第１ＰＵＣＣＨ資源を用いた第１ＰＵＣＣＨにより第１アップリンク制御情報を送信し、及び／又は当該１つのアップリンクキャリアにおいて、第２ＰＵＣＣＨリソースを用いた第２ＰＵＣＣＨにより第２アップリンク制御情報を送信し、又は、
方法３、もし第１キャリアにおいて第１基地局によりスケジューリングされた第１ＰＵＳＣＨが存在すれば、送受信機をトリガーして当該１つのアップリンクキャリアにおいて、第１ＰＵＳＣＨにより第１アップリンク制御情報を送信し、さもないと、送受信機をトリガーして当該１つのアップリンクキャリアにおいて、第１ＰＵＣＣＨリソースを用いた第１ＰＵＣＣＨにより第１アップリンク制御情報を送信し、及び／又は、もし当該１つのアップリンクキャリアにおいて第２基地局によりスケジューリングされた第２ＰＵＳＣＨが存在すれば、送受信機をトリガーして当該１つのアップリンクキャリアにおいて、第２ＰＵＳＣＨにより第２アップリンク制御情報を送信し、さもないと、送受信機をトリガーして当該１つのアップリンクキャリアにおいて、第２ＰＵＣＣＨリソースを用いた第２ＰＵＣＣＨにより第２アップリンク制御情報を送信する。ここで、第１ＰＵＣＣＨリソースと第２ＰＵＣＣＨリソースとは異なる。
【００４６】
方法１について、プロセッサは具体的には以下の通りに用いられるために設定され、すなわち、設定のカスケード形態を採用し、第１アップリンク制御情報及び第２アップリンク制御情報をカスケード処理し、なお当該１つのアップリンクキャリアの同じＰＵＣＣＨ又はＰＵＳＣＨにおいてカスケード処理済みのアップリンク制御情報を送信する。
【００４７】
方法１に対し、もしアップリンク制御情報に肯定応答（ＡＣＫ）／否定応答（ＮＡＣＫ）フィードバック情報が含まれていれば、プロセッサは以下の通りに用いられるために設定され、すなわち、
第１キャリアにおいてデータを受信したダウンリンクサブフレームに対しＡＣＫ／ＮＡＣＫを生成し、第１キャリアにおいてデータを受信していないダウンリンクサブフレームに対しＮＡＣＫ／不連続送信（ＤＴＸ）を生成することにより、第１キャリアに対応するＡＣＫ／ＮＡＣＫフィードバック情報が構成され、もし第１キャリアにていかなるデータも受信していなければ、ＮＡＣＫ／ＤＴＸを第１キャリアに対応するＡＣＫ／ＮＡＣＫフィードバック情報にし、
第２キャリアにおいてデータを受信したダウンリンクサブフレームに対しＡＣＫ／ＮＡＣＫを生成し、第２キャリアにおいてデータを受信していないダウンリンクサブフレームに対しＮＡＣＫ／ＤＴＸを生成することにより、第２キャリアに対応するＡＣＫ／ＮＡＣＫフィードバック情報が構成され、もし第２キャリアにていかなるデータも受信していなければ、ＮＡＣＫ／ＤＴＸを当該第２キャリアに対応するＡＣＫ／ＮＡＣＫフィードバック情報にする。
【００４８】
さらに、方法１について、プロセッサは、送受信機が受信した第１基地局が高位層シグナリングを介し送信した設定情報に基づき、アップリンク制御情報の送信に用いるＰＵＣＣＨリソースを確定するために設定される。
【００４９】
方法２及び方法３について、もしアップリンク制御情報にＡＣＫ／ＮＡＣＫフィードバック情報が含まれていれば、プロセッサは以下の通りに用いられるために設定され、すなわち、
プロセッサは、第１キャリアにおいてデータを受信したダウンリンクサブフレームに対しＡＣＫ／ＮＡＣＫを生成し、第１キャリアにおいてデータを受信していないダウンリンクサブフレームに対しＮＡＣＫ／不連続送信（ＤＴＸ）を生成することにより、当該第１キャリアに対応するＡＣＫ／ＮＡＣＫフィードバック情報が構成され、もし第１キャリアにていかなるデータも受信していなければ、第１キャリアに対応するＡＣＫ／ＮＡＣＫフィードバック情報は生成せず、
プロセッサは、第２キャリアにおいてデータを受信したダウンリンクサブフレームに対しＡＣＫ／ＮＡＣＫを生成し、第２キャリアにおいてデータを受信していないダウンリンクサブフレームに対しＮＡＣＫ／ＤＴＸを生成することにより、第２キャリアに対応するＡＣＫ／ＮＡＣＫフィードバック情報が構成され、もし第２キャリアにていかなるデータも受信していなければ、第２キャリアに対応するＡＣＫ／ＮＡＣＫフィードバック情報は生成しない。
【００５０】
方法２及び方法３について、もしアップリンク制御情報にＡＣＫ／ＮＡＣＫフィードバク情報が含まれていれば、プロセッサは以下の通りに用いられるために設定され、すなわち、
プロセッサは、送受信機が受信した第１基地局が高位層シグナリングを介し送信した設定情報に基づき、第１ＰＵＣＣＨリソースを確定し、又は、送受信機が受信した第１基地局が送信したＰＤＣＣＨ又はＥＰＤＣＣＨ中のＡＲＩに基づき、第１基地局が当該端末に予め設定した複数のＰＵＣＣＨリソース中の少なくとも１つのＰＵＣＣＨリソースを第１ＰＵＣＣＨリソースにし、
及び／又は、
プロセッサは、送受信機が受信した第１基地局が送信した設定情報に基づき、第２ＰＵＣＣＨに用いられる第２ＰＵＣＣＨリソースを確定し、又は、送受信機が受信した第２基地局が送信した設定情報に基づき、第２ＰＵＣＣＨに用いられる第２ＰＵＣＣＨリソースを確定し、又は、送受信機が受信した第２基地局が送信したＰＤＣＣＨ又はＥＰＤＣＣＨ中のＡＲＩに基づき、第２ＰＵＣＣＨに用いられる第２ＰＵＣＣＨリソースを確定し、ここで、第２ＰＵＣＣＨリソースは第１基地局が第２基地局に予め通知した第２基地局が用いられるすべてのＰＵＣＣＨリソース中の少なくとも１つのＰＵＣＣＨリソースである。
【００５１】
さらに、方法２及び方法３について、もしアップリンク制御情報にＣＳＩフィードバック情報が含まれていれば、プロセッサは以下の通りに用いられるために設定され、すなわち、
プロセッサは、送受信機が受信した第１基地局が高位層シグナリングを介し送信した設定情報に基づき、第１ＰＵＣＣＨに用いられる第１ＰＵＣＣＨリソースを確定し、
及び／又は、
プロセッサは、送受信機が受信した第１基地局が高位層シグナリングを介し送信した設定情報に基づき、第２ＰＵＣＣＨに用いられる第２ＰＵＣＣＨリソースを確定し、又は、送受信機が受信した第２基地局が送信した設定情報に基づき、第２ＰＵＣＣＨに用いられる第２ＰＵＣＣＨリソースを確定し、第２ＰＵＣＣＨリソースは第１基地局が第２基地局に予め通知した第２基地局が用いられるすべてのＰＵＣＣＨリソース中の少なくとも１つのＰＵＣＣＨリソースである。
【００５２】
本発明の実施例が提供する端末は、異なる基地局によりスケジューリングされるダウンリンクキャリアにおいてデータを受信しかつ１つのみのアップリンクキャリアにてアップリンクデータを送信するため、１つのアップリンクキャリアにてＰＵＣＣＨ及び／又はＰＵＳＣＨを介し複数の基地局によりスケジューリングされるダウンリンクデータに対応するフィードバック情報を送信することができ、従ってアップリンクデータが１つのキャリアのみにて送信される端末が異なる基地局によりスケジューリングされたダウンリンクキャリアに対しアップリンク制御情報を適時にフィードバックするように確保し、異なる基地局が当該基地局によりスケジューリングされたダウンリンクキャリアに対応するＡＣＫ／ＮＡＣＫ及びＣＳＩなどのフィードバック情報を適時に取得するように確保し、なお当該基地局に対応するフィードバック情報に基づきスケジューリング及び再送を行い、システムのスループット及び効率を向上した。
【００５３】
本発明の実施例は基地局を提供し、当該基地局は、
第１キャリアにおいて端末にデータを送信し、前記端末には、少なくとも前記第１キャリア及び第２キャリアが設定され、前記第１キャリアのデータは前記基地局によりスケジューリングされ、前記第２キャリアのデータは第２基地局によりスケジューリングされる、データ送信モジュールと、
１つのアップリンクキャリアにおいて、ＰＵＣＣＨ又はＰＵＳＣＨにより前記端末が送信したアップリンク制御情報を受信し、前記１つのアップリンクキャリアは前記端末へデータをスケジューリングする各基地局に対応するアップリンク制御情報を送信するために用いられる、処理モジュールと、を含む。
【００５４】
実施において、前記処理モジュールは、
方法１にて、前記１つのアップリンクキャリアにおいて、１つのＰＵＣＣＨ又はＰＵＳＣＨにより前記アップリンク制御情報を受信し、前記アップリンク制御情報は前記第１アップリンク制御情報及び前記第２アップリンク制御情報を含み、又は、
方法２にて、前記１つのアップリンクキャリアにおいて、第１ＰＵＣＣＨリソースを用いた第１ＰＵＣＣＨにより前記アップリンク制御情報を受信し、前記アップリンク制御情報は前記第１アップリンク制御情報を含み、ただし前記第２アップリンク制御情報は含まず、又は、
方法３にて、もし前記第１キャリアにおいて第１ＰＵＳＣＨをスケジューリングしたならば、前記１つのアップリンクキャリアにおいて、前記第１ＰＵＳＣＨにより前記アップリンク制御情報を受信し、さもないと、前記１つのアップリンクキャリアにおいて、第１ＰＵＣＣＨリソースを用いた第１ＰＵＣＣＨにより前記アップリンク制御情報を受信し、前記アップリンク制御情報は前記第１アップリンク制御情報を含み、ただし前記第２アップリンク制御情報は含まない。
【００５５】
方法１について、前記処理モジュールは前記１つのアップリンクキャリアにおいて前記アップリンク制御情報を受信した後に、さらに、
設定のカスケード形態に基づき、前記アップリンク制御情報の中から前記第１アップリンク制御情報を取得する。
【００５６】
方法１について、前記処理モジュールは前記１つのアップリンクキャリアにおいて前記アップインク制御情報を受信する前に、さらに、
高位層シグナリングを介し前記端末へ設定情報を送信して、前記アップリンク制御情報の送信に用いる少なくとも１つのＰＵＣＣＨリソースを前記端末に指示する。
【００５７】
方法１について、前記データ送信モジュールはさらに、
前記端末に設定したＰＵＣＣＨリソースを前記第２基地局に通知する。
【００５８】
方法２及び方法３について、前記アップリンク制御情報にＡＣＫ／ＮＡＣＫフィードバック情報が含まれていれば、前記処理モジュールはさらに、
高位層シグナリングを介し前記端末へ設定情報を送信して、前記第１ＰＵＣＣＨリソースを指示し、又は、ＰＤＣＣＨ又はＥＰＤＣＣＨ中のＡＲＩにより前記端末へ予め設定した複数のＰＵＣＣＨリソース中の少なくとも１つのＰＵＣＣＨリソースを前記第１ＰＵＣＣＨリソースにするよう前記端末に指示し、
及び／又は、
高位層シグナリングを介し前記端末へ設定情報を送信して、前記第２ＰＵＣＣＨリソースを指示し、又は、前記第２基地局が前記１つのアップリンクキャリアにおいて用いられるすべてのＰＵＣＣＨリソースを前記第２基地局に予め通知し、前記第２基地局が前記端末のために前記第２ＰＵＣＣＨリソースを設定するようにさせる。
【００５９】
方法２及び方法３について、もし前記アップリンク制御情報にＣＳＩフィードバック情報が含まれていれば、前記処理モジュールはさらに、
高位層シグナリングを介し前記端末へ設定情報を送信して、前記第１ＰＵＣＣＨリソースを指示し、
及び／又は、
高位層シグナリングを介し前記端末へ設定情報を送信して、前記第２ＰＵＣＣＨリソースを指示し、又は、前記第２基地局が前記１つのアップリンクキャリアにおいて用いられるすべてのＰＵＣＣＨリソースを前記第２基地局に予め通知し、前記第２基地局が前記端末のために前記第２ＰＵＣＣＨリソースを設定するようにさせる。
【００６０】
さらに、本発明の実施例はもう一種の基地局を提供し、当該基地局は送受信機、及び当該送受信機に接続された少なくとも１つのプロセッサを含み、
前記送受信機は、第１キャリアにおいて端末にデータを送信するために設定され、端末には少なくとも第１キャリア及び第２キャリアを設定され、第１キャリアのデータは本基地局によりスケジューリングされ、第２キャリアのデータは第２基地局によりスケジューリングされ、
前記プロセッサは、送受信機をトリガーして１つのアップリンクキャリアにおいて、ＰＵＣＣＨ又はＰＵＳＣＨにより端末が送信したアップリンク制御情報を受信し、当該１つのアップリンクキャリアは端末へデータをスケジューリングする各基地局に対応するアップリンク制御情報を送信するために用いられる。
【００６１】
実施において、プロセッサは具体的には以下の通りに用いられるために設定され、すなわち、
方法１にて、送受信機をトリガーして当該１つのアップリンクキャリアにおいて、１つのＰＵＣＣＨ又はＰＵＳＣＨによりアップリンク制御情報を受信し、アップリンク制御情報は第１アップリンク制御情報及び第２アップリンク制御情報を含み、又は、
方法２にて、送受信機をトリガーして当該１つのアップリンクキャリアにおいて、第１ＰＵＣＣＨ資源を用いた第１ＰＵＣＣＨによりアップリンク制御情報を受信し、アップリンク制御情報は第１アップリンク制御情報を含み、ただし第２アップリンク制御情報を含まず、又は、
方法３にて、もし第１キャリアにおいて第１ＰＵＳＣＨをスケジューリングしたならば、送受信機をトリガーして当該１つのアップリンクキャリアにおいて、第１ＰＵＳＣＨによりアップリンク制御情報を受信し、さもないと、送受信機をトリガーして当該１つのアップリンクキャリアにおいて、第１ＰＵＣＣＨリソースを用いる第１ＰＵＣＣＨによりアップリンク制御情報を受信し、アップリンク制御情報は第１アップリンク制御情報を含み、かつ第２アップリンク制御情報は含まない。
【００６２】
方法１について、プロセッサは、当該１つのアップリンクキャリアにおいてアップリンク制御情報を受信した後に、さらに設定のカスケード形態に基づきアップリンク制御情報から第１アップリンク制御情報を取得する。
【００６３】
方法１について、プロセッサは、当該１つのアップリンクキャリアにおいてアップリンク制御情報を受信する前に、さらに送受信機をトリガーして高位層シグナリングを介し端末へ設定情報を送信し、端末のアップリンク制御情報の送信に用いられる少なくとも１つのＰＵＣＣＨリソースを指示する。
【００６４】
さらに、方法１について、送受信機は、端末に設定したＰＵＣＣＨリソースを第２基地局に通知する。
【００６５】
方法２及び方法３について、もしアップリンク制御情報にＡＣＫ／ＮＡＣＫフィードバック情報が含まれていれば、プロセッサはさらに以下の通りに用いられるために設定され、すなわち、
プロセッサは、送受信機をトリガーして高位層シグナリングを介し端末へ設定情報を送信し、第１ＰＵＣＣＨリソースを指示し、又は、ＰＤＣＣＨ又はＥＰＤＣＣＨ中のＡＲＩにより端末へ予め設定した複数のＰＵＣＣＨリソース中の少なくとも１つのＰＵＣＣＨリソースを第１ＰＵＣＣＨリソースにするように端末に指示し、
及び／又は、
プロセッサは、送受信機をトリガーして高位層シグナリングを介し端末へ設定情報を送信し、第２ＰＵＣＣＨリソースを指示し、又は、第２基地局が当該１つのアップリンクキャリアにおいて用いられるすべてのＰＵＣＣＨリソースを第２基地局に予め通知し、第２基地局が端末のために第２ＰＵＣＣＨリソースを設定するようにさせる。
【００６６】
方法２及び方法３について、もしアップリンク制御情報にＣＳＩフィードバック情報が含まれていれば、プロセッサはさらに以下の通りに用いられるために設定され、すなわち、
プロセッサは、送受信機をトリガーして高位層シグナリングを介し端末へ設定情報を送信し、第１ＰＵＣＣＨリソースを指示し、
及び／又は、
プロセッサは、送受信機をトリガーして高位層シグナリングを介し端末へ設定情報を送信し、第２ＰＵＣＣＨリソースを指示し、又は、第２基地局が当該１つのアップリンクキャリアにおいて用いられるすべてのＰＵＣＣＨリソースを第２基地局に予め通知し、第２基地局が端末のために第２ＰＵＣＣＨリソースを設定するようにさせる。
【００６７】
本発明の実施例が提供する端末へデータをスケジューリングする基地局は、当該端末がアップリンク制御情報を送信する１つのみのアップリンクキャリアにおいて、ＰＵＣＣＨ及び／又はＰＵＳＣＨを介し当該端末が送信したアップリンク制御情報を受信することができ、異なる基地局が当該基地局によりスケジューリングされたダウンリンクキャリアに対応するＡＣＫ／ＮＡＣＫ及びＣＳＩなどのフィードバック情報を適時に取得するように確保し、なお当該基地局に対応するフィードバック情報に基づきスケジューリング及び再送を行い、システムのスループット及び効率を向上した。
【図面の簡単な説明】
【００６８】
【図１】背景技術においてデュアル接続シーンでの第1種の端末のデータスケジューリング及び送信方法を示す図
【図２】背景技術においてデュアル接続シーンでの第２種の端末のデータスケジューリング及び送信方法を示す図
【図３】背景技術においてデュアル接続シーンでの第３種の端末のデータスケジューリング及び送信方法を示す図
【図４】本発明の実施例に係るフィードバック情報を送信する方法を示す図
【図５】本発明の実施例に係るフィードバック情報を受信する方法を示す図
【図６】本発明の実施例に係る実施例１をを示す図
【図７】本発明の実施例に係る実施例２を示す図
【図８】本発明の実施例に係る実施例３を示す図
【図９】本発明の実施例に係る端末を示す図
【図１０】本発明の実施例に係る基地局を示す図
【発明を実施するための形態】
【００６９】
上記デュアル接続シーンで動作する端末にとって、端末のアップリンクデータが１つのアップリンクキャリアのみで送信されるため、端末は、この１つのアップリンクキャリアを介して複数の基地局によりそれぞれスケジューリングされるダウンリンクキャリアに対応するアップリンク制御情報（ＡＣＫ/ＮＡＣＫフィードバック情報、ＣＳＩフィードバック情報、ＳＲ情報などを含む）を各基地局にフィードバックしなければならない。各基地局がＵＥに送信するダウンリンクデータが各基地局により独立してスケジューリングされるものであることを勘案して、異なる基地局は各自スケジューリングされたダウンリンクデータのフィードバック情報をそれぞれ取得する必要があり、これにより、各自スケジューリングしたダウンリンクデータを再送する必要があるか否かを判定する。もし端末により送信されたフィードバック情報のすべてが１つの基地局により受信される場合は、他の基地局は当該基地局との間の通信により自分に対応するフィードバック情報を取得しなければならず、各基地局間の通信が非理想バックホール（ｎｏｎ-ｉｄｅａｌ ｂａcｋｈａuｌ）である場合、すなわち基地局間の送信遅延が大きい場合には、他の基地局は非常に長い通信時間の後でないと、自らスケジューリングしたダウンリンクデータの再送状況を確定することができない可能性があり、従ってシステムのスループット及び効率が低下される。そのため、端末が１つのアップリンクキャリアを介して複数の基地局によりスケジューリングされたダウンリンクデータに対応するフィードバック情報を送信するためのより有効な送信方法が必要となり、それにより各サービス基地局が自らスケジューリングしたダウンリンクデータのフィードバック情報を同時に取得することを可能にする。
【００７０】
これに基づき、本発明の実施例は、デュアル接続シーンにおいて端末へのデータをスケジューリングする各基地局によりスケジューリングされたダウンリンクキャリアに対応するフィードバック情報（すなわちアップリンク制御情報）を送信する方法および装置を提供する。
【００７１】
本発明の実施例において、本発明の技術案を説明するために、「第1」、「第2」等の文言を用い、端末へのデータをスケジューリングする異なる基地局を区別し、なお異なる基地局がスケジューリングしたダウンリンクキャリアを区別するものであり、ダウンリンクキャリアの数及び動作優先順位に対し限定するものではない。
【００７２】
たとえば、第１基地局が端末の主基地局（ＭｅＮＢ）であれば、第2基地局は該端末のいずれかの補助基地局（ＳｅＮＢ）を表すことができ、この端末のすべての補助基地局を表すこともできる。
【００７３】
本発明の実施例において、第１基地局及び第２基地局は具体的には以下の通りである。
第１基地局は主基地局（ＭｅＮＢ）であり、かつ第２基地局は補助基地局（ＳｅＮＢ）である。
又は、第１基地局はＳｅＮＢであり、かつ第２基地局はＭｅＮＢである。
又は、第１基地局はマクロセル基地局であり、かつ第２基地局はスモールセル基地局である。
又は、第１基地局はスモールセル基地局であり、かつ第２基地局はマクロセル基地局である。
又は、第１基地局は、プライマリーキャリア（Ｐｒｉｍａｒｙ  Ｃｏｍｐｏｎｅｎｔ  Ｃａｒｒｉｅｒ，ＰＣＣ）にて当該端末とデータ伝送を行う基地局であり、かつ第２基地局は、少なくとも１つのセカンドリーキャリア（Ｓｅｃｏｎｄａｒｙ  Ｃｏｍｐｏｎｅｒｔ  Ｃａｒｒｉｅｒ，ＳＣＣ）にて当該端末とデータ伝送を行う基地局である。
【００７４】
特筆すべきは、第一基地局は端末へデータをスケジューリングする少なくとも１つの基地局を含み、第２基地局は第１基地局と異なる基地局であり、かつ第２基地局は端末へデータをスケジューリングする少なくとも１つの基地局を含む。
【００７５】
本発明の実施例において、第１キャリアは第１基地局により当該端末のためにスケジューリングされるダウンリンクキャリアを示し、当該第１キャリアは第１基地局によりスケジューリングされるすべてのダウンリンクキャリアの集合を示すことができ、第１基地局によりスケジューリングされる一部のダウンリンクキャリアの集合を示すこともでき、又第１基地局によりスケジューリングされる任意１つのダンクリンクキャリアを示すこともでき、第２キャリアは第２基地局により当該端末のためにスケジューリングされるダウンリンクキャリアを示し、当該第２キャリアは第２基地局によりスケジューリングされるすべてのダウンリンクキャリアの集合を示すことができ、第２基地局によりスケジューリングされる一部のダウンリンクキャリア集合を示すこともでき、又第２基地局によりスケジューリングされる任意１つのダウンリンクキャリアを示すこともできる。ここで、第１キャリア及び第２キャリアは同じ周波数ビンを用いることができ、異なる周波数ビンを用いることもできる。
【００７６】
本発明の実施例において、アップリンク制御情報は以下の情報中、少なくとも１つを含み、ただしこれに限らない。
【００７７】
肯定応答（Ａｃｋｎｏｗｌｅｄｇｅｍｅｎｔ，ＡＣＫ）／否定応答（Ｎｅｇａｔｉｖｅ  Ａｃｋｎｏｗｌｅｄｇａｍｅｎｔ，ＮＡＣＫ）フイードバック情報、チャネル状態情報（Ｃｈａｎｎｅｌ  Ｓｔａｔｅ  Ｉｎｆｏｒｍａｔｉｏｎ，ＣＳＩ）フイードバック情報、スケジューリングリクエスト（Ｓｃｈｅｄｕｌｉｎｇ  Ｒｅｑｕｅｓｔ，ＳＲ）情報。
【００７８】
ここで、ＣＳＩフイードバック情報は以下の情報中、少なくとも１つを含み、ただしこれに限らない。
【００７９】
チャネル品質指示（Ｃｈａｎｎｅｌ  Ｑｕａｌｉｔｙ  Ｉｎｄｉｃａｔｏｒ，ＣＱＩ）、プリコーディングマトリックス指示（Ｐｒｅｃｏｄｉｎｇ  Ｍａｔｒｉｘ  Ｉｎｄｉｃａｔｏｒ，ＰＭＩ）、ランク指示（Ｒａｎｋ  Ｉｎｄｉｃａｔｉｏｎ，ＲＩ）、プリコーディングタイプ指示（Ｐｒｅｃｏｄｉｎｇ  Ｔｙｐｅ  Ｉｎｄｉｃａｔｏｒ，ＰＴＩ）。
【００８０】
本発明の実施例において、第１アップリンク制御情報とは端末が第一キャリアに対し生成するアップリンク制御情報を示し、第２アップリンク制御情報とは端末が第２キャリアに対し生成するアップリンク制御情報を示す。
【００８１】
参照図４に示すように、本発明の実施例が提供するフィードバック情報を送信する方法において、当該方法はデュアル接続シーンにて用いられ、当該方法はステップ４１と、ステップ４２と、ステップ４３とを含む。
【００８２】
ステップ４１、端末は、第１キャリアにてデータを受信し及び第２キャリアにてデータを受信し、第１キャリア上のデータは第１基地局によりスケジューリングされ、第２キャリア上のデータは第２基地局によりスケジューリングされる。
【００８３】
本ステップにおいて、端末が第１キャリアにて受信するデータ及び第２キャリアにて受信するデータの実行順序に対し制限はないものとする。
【００８４】
本ステップにおいて、端末が第１キャリアにてデータを受信することは２つの結果を含む。１つは第１キャリアにて第１基地局によりスケジューリングされるデータを受信し、もう１つは第一キャリアにていかなるデータも受信していない。
【００８５】
同様に、端末が第２キャリアにてデータを受信することも２つの結果を含む。１つは第２キャリアにて第２基地局によりスケジューリングされるデータを受信し、もう１つは第２キャリアにていかなるデータも受信していない。
【００８６】
ステップ４２、端末は、第１キャリアに対し第１アップリンク制御情報を生成し、及び／又は、端末は、第２キャリアに対し第２アップリンク制御情報を生成する。
【００８７】
具体的に、本ステップにおいて、端末が第１キャリアに対し第１アップリンク制御情報を生成するということは、端末が第１キャリアに対し当該第１キャリアに対応するアップリンク制御情報を生成することであり、端末が第２キャリアに対し第２アップリンク制御情報を生成するということは、端末が第２キャリアに対し当該第２キャリアに対応するアップリンク制御情報を生成することである。
【００８８】
本ステップにおいて、もし端末が当該アップリンクキャリアでの同じアップリンクサブフレーム中の同じアップリンクチャネルにて当該端末が生成するアップリンク制御情報を送信すれば、端末が第１キャリア及び第２キャリアにてデータを受信するか否かに関わらず、当該端末は、第１キャリアに対し第１アップリンク制御情報を生成すべき、かつ、第２キャリアに対し第２アップリンク制御情報を生成すべきである。
当該端末が第１キャリア又は第２キャリアにていかなるデータも受信していない場合には、ＮＡＣＫ／ＤＴＸ（その他の当該ダウンリンクにてデータの受信がされていない旨の指示情報を用いても良い）を当該第１キャリア又は当該第２キャリアに対応するアップリンク制御情報にする。
【００８９】
さもないと、すなわち端末が当該アップリンクにおける異なるアップリンクチャネルにて当該端末が生成するアップリンク制御情報を送信すれば、当該端末は、現行アップリンクサプフレームにてアップリンク制御情報を送信すべくダウンリンクキャリアだけに対応してアップリンク制御情報を生成する。具体的には以下の通りである。
【００９０】
もし送信するアップリンク制御情報にＡＣＫ／ＮＡＣＫフイードバック情報が含まれていれば、すなわち、もし当該端末が第１キャリアにおける現行アップリンクサブフレームにてフィードバックする必要のあるダウンリンクサブフレームのみにてデータを受信していれば、当該端末は、現行アップリンクサブフレームにおいて第１アップリンク制御情報のみを生成し、かつ第２キャリアに対し第２アップリンク制御情報を生成しない。もし当該端末が第２キャリアにおける現行アップリンクサブフレームにてフィードバックする必要のあるダウンリンクサブフレームのみにてデータを受信していれば、当該端末は、現行アップリンクサブフレームにて第２アップリンク制御情報のみを生成し、かつ第１キャリアに対し第１アップリンク制御情報を生成しない。もし当該端末が第１キャリア及び第２キャリアにおける現行アップリンクサブフレームにてフィードバックする必要のあるダウンリンクサブフレームにてデータを受信していれば、当該端末は、現行アップリンクサブフレームにて第１アップリンク制御情報及び第２アップリンク制御情報を生成する。
【００９１】
もし送信すべきのアップリンク制御情報にＣＳＩフィードバック情報が含まれていれば、すなわち、もし現行アップリンクサブフレームが第１キャリアに対応する周期ＣＳＩフィードバックサブフレームだけであれば，当該端末は、現行アップリンクサブフレームにて第１アップリンク制御情報のみを生成し、かつ第２キャリアに対し第２アップリンク制御情報を生成しない。もし現行アップリンクサブフレームが第２キャリアに対応する周期ＣＳＩフィードバックサブフレームだけであれば、当該端末は、現行アップリンクサブフレームにて第２アップリンク制御情報のみを生成し、かつ第１キャリアに対し第１アップリンク制御情報を生成しない。もし現行アップリンクサブフレームが同時に第１キャリア及び第２キャリアに対応する周期ＣＳＩフィードバックサブフレームであれば、当該端末は、現行アップリンクサブフレームにて第１アップリンク制御情報及び第２アップリンク制御情報を生成する。
【００９２】
ステップ４３、端末は、１つのアップリンクキャリアにおいて、物理アップリンク制御チャネル（Ｐｈｙｓｉｃａｌ  Ｕｐｌｉｎｋ  Ｃｏｎｔｒｏｌ  Ｃｈａｎｎｅｌ，ＰＵＣＣＨ）及び／又は物理アップリンク共有チャネル（Ｐｈｙｓｉｃａｌ  Ｕｐｌｉｎｋ  Ｃｈａｎｎｅｌ，ＰＵＳＣＨ）を通して、当該端末が生成したアップリンク制御情報を送信し、当該アップリンク制御情報は第１アップリンク制御情報及び第２アップリンク制御情報中の少なくとも１つの情報を含む。
【００９３】
具体的には、もしステップ４２において端末が第１キャリアのみに対し第１アップリンク制御情報を生成していれば、本ステップにおいて、端末は、当該１つのアップリンクキャリアにおいて当該第１アップリンク制御情報のみを送信する。もしステップ４２において端末が第２キャリアのみに対し第２アップリンク制御情報を生成していれば、本ステップにおいて、端末は、当該１つのアップリンクキャリアにおいて当該第２アップリンク制御情報のみを送信する。もしステップ４２において端末がそれぞれ第１キャリア及び第２キャリアに対し第１アップリンク制御情報及び第２アップリンク制御情報を生成していれば、本ステップにおいて、端末は、当該１つのアップリンクキャリアにおいて当該第１アップリンク制御情報及び当該第２アップリンク制御情報を送信する。
【００９４】
本発明の実施例において、アップリンクが１つのキャリアのみにて送信される端末は、異なる基地局によりスケジューリングされたダウンリンクキャリアに対応するアップリンク制御情報を適時にフィードバックすることができ、異なる基地局が当該基地局によりスケジューリングされたダウンリンクキャリアに対応するＡＣＫ／ＮＡＣＫ及びＣＳＩなどのフィードバック情報を適時に取得するように確保し、なお当該基地局に対応するフィードバック情報に基づきスケジューリング及び再送を行い、システムのスループット及び効率を向上する。
【００９５】
本発明の実施例において、ステップ４３における１つのアップリンクキャリアは当該端末に対しデータをスケジューリングする各基地局に対応するアップリンク制御情報を送信するために用いられる。具多的には、当該アップリンクキャリアは、ネットワーク側が当該端末だけのために設定された１つのアップリンクデータを送信するためのアップリンクキャリアであり、又は、ネットワーク側から当該端末のために設定されたアップリンクデータを送信するための複数のアップリンクキャリアにおいて、予め指定又は予め設定された１つのアップリンクキャリアであり、又は、当該端末のアップリンクプライマリーキャリアである。
【００９６】
説明すべきは、当該端末のためにアップリンクデータ送信用のアップリンクキャリアを設定するネットワーク側設備は第１基地局であって良く、第１基地局以外のその他の基地局であっても良く、さらに基地局以外のネットワーク側設備であっても良い。
【００９７】
実施において、ステップ４３において、端末は、当該１つのアップリンクキャリアにて、ＰＵＣＣＨ及び／又はＰＵＳＣＨを介して当該端末が生成したアップリンク制御情報を送信し、具体的には以下の３つの好ましい実現方法を含む。
【００９８】
方法１
端末は、当該１つのアップリンクキャリアにて、同じＰＵＣＣＨ又はＰＵＳＣＨを介して第１アップリンク制御情報及び第２アップリンク制御情報を同時に送信する。
【００９９】
当該方法においては、実施において、好ましい実現形態として、端末が当該１つのアップリンクキャリアにて、同じＰＵＣＣＨに基づき第１アップリンク制御情報及び第２アップリンク制御情報を同時に送信する。具体的には，端末は、設定のカスケード形態を採用し、第１アップリンク制御情報及び第２アップリンク制御情報をカスケード処理する。及び、端末は、当該１つのアップリンクキャリアにおける同じＰＵＣＣＨにおいてカスケード処理済みのアップリンク制御情報を送信する。
【０１００】
当該方法においては、実施において、端末が当該１つのアップリンクキャリアにて第１基地局及び第２基地局によりスケジューリングされたＰＵＳＣＨ送信が存在すれば、もう１つの好ましい実現形態として、端末は、当該１つのアップリンクキャリアにて、同じＰＵＳＣＨを介して第１アップリンク制御情報及び第２アップリンク制御情報を同時に送信する。具体的には以下を含む。
【０１０１】
端末は、設定のカスケード形態を採用し、第１アップリンク制御情報及び第２アップリンク制御情報をカスケード処理する。及び、端末は、当該１つのアップリンクキャリアにおける同じＰＵＣＣＨにてカスケード処理済みのアップリンク制御情報を送信する。
【０１０２】
本発明の実施例において、設定のカスケード処理は以前後カスケード形態において及びパリティ順位に従って交わるカスケード形態中の１つを含み、ただしこれに限らない。
【０１０３】
方法１に対し、アップリンク制御情報に含まれた内容の違いに基づき、端末は、第１アップリンク制御情報及び第２アップリンク制御情報を生成し、なお設定のカスケード形態を採用し、第１アップリンク制御情報及び第２アップリンク制御情報をカスケード処理し、さらに以下の３つの実現形態を含む。
【０１０４】
形態Ａ
もしアップリンク制御情報にＡＣＫ／ＮＡＣＫフィードバック情報が含まれていれば、端末は、設定のカスケード形態を採用し、第１アップリンク制御情報及び第２アップリンク制御情報をカスケード処理し、具体的には以下の通りである。
【０１０５】
端末は、第１キャリアにおいてデータを受信したダウンリンクサブフレームに対しＡＣＫ／ＮＡＣＫを生成し、第１キャリアにおいてデータを受信していないダウンリンクサブフレームに対しＮＡＣＫ／不連続送信（ＤＴＸ）を生成することにより、当該第１キャリアに対応するＡＣＫ／ＮＡＣＫフィードバック情報が構成され、ここで、もし第１キャリアにていかなるデータも受信していなければ、端末は、ＮＡＣＫ／（Ｄｉｓｃｏｎｔｉｎｕｏｕｓ  Ｔｒａｎｓｍｉｓｓｉｏｎ、不連続送信）（すなわちＮＡＣＫ及び／又はＤＴＸ）を当該第１キャリアに対応するＡＣＫ／ＮＡＣＫフィードバック情報とする。
【０１０６】
端末が第２キャリアにおいてデータを受信したダウンリンクサブフレームに対しＡＣＫ／ＮＡＣＫを生成し、第２キャリアにおいてデータを受信していないダウンリンクサブフレームに対しＮＡＣＫ／ＤＴＸを生成することにより、当該第２キャリアに対応するＡＣＫ／ＮＡＣＫフィードバック情報が構成される。もし第２キャリアにていかなるデータも受信していなければ、端末は、ＮＡＣＫ／ＤＴＸを当該第２キャリアに対応するＡＣＫ／ＮＡＣＫフィードバック情報とする。
【０１０７】
さらに、端末は、予め定義されたカスケード形態を採用し、第１キャリアに対応するＡＣＫ／ＮＡＣＫフィードバック情報及び第２キャリアに対応するＡＣＫ／ＮＡＣＫフィードバック情報をカスケードし、なお当該１つのアップリンクキャリアにおいてＰＵＣＣＨ又はＰＵＳＣＨを介してカスケード処理済みのＡＣＫ／ＮＡＣＫフィードバック情報を送信する。
【０１０８】
形態Ｂ
もしアップリンク制御情報にＣＳＩフィードバック情報が含まれていれば、端末は、第１アップリンク制御情報及び第２アップリンク制御情報を生成し、なお設定のカスケード形態を採用し、第１アップリンク制御情報及び第２アップリンク制御情報をカスケード処理し、具体的には以下の通りである。
【０１０９】
端末は、第１キャリアに対応するＣＳＩ設定（当該ＣＳＩ設定とは第１基地局又は第２基地局により自身がスケジューリングしたダウンリンクキャリアに予め設定されたＣＳＩフィードバック周期、フィードバックモードなどのパラメータを指し、それにより端末がこれらのパラメータに基づきどれらのサブフレームにてどんなＣＳＩフィードバック情報を送信するかを確定することができる）に基づき、当該第１キャリアに対応するＣＳＩフィードバック情報を確定する。また、端末は、第２キャリアに対応するＣＳＩ設定に基づき、当該第２キャリアに対応するＣＳＩフィードバック情報を確定する。
【０１１０】
さらに、端末は、予め定義されたカスケード形態を採用し、第１キャリアに対応するＣＳＩフィードバック情報及び第２キャリアに対応するＣＳＩフィードバック情報を一緒にカスケードし、なお当該１つのアップリンクキャリアにて１つのＰＵＣＣＨ又はＰＵＳＣＨを介してカスケード処理済みのＣＳＩフィードバック情報を送信する。
【０１１１】
形態Ｃ
もしアップリンク制御情報にＡＣＫ／ＮＡＣＫフィードバック情報及びＣＳＩフィードバック情報が含まれていれば、端末は、第１アップリンク制御情報及び第２アップリンク制御情報を生成し、なお設定のカスケード形態を採用し、第１アップリンク制御情報及び第２アップリンク制御情報をカスケード処理し、具体的には以下の通りである。
【０１１２】
端末は、上記の形態Ａ及び形態Ｂに従ってそれぞれ第１キャリア及び第２キャリアに対応するＡＣＫ／ＮＡＣＫフィードバック情報及びＣＳＩフィードバック情報を生成する。
【０１１３】
具体的には、端末は、予め定義されたカスケード形態を採用し、それぞれ上記の形態Ａを採用し第１キャリアに対応するＡＣＫ／ＮＡＣＫフィードバック情報及び第２キャリアに対応するＡＣＫ／ＮＡＣＫフィードバック情報をカスケードし、なお上記の形態Ｂを採用し第１キャリアに対応するＣＳＩフィードバック情報及び第２キャリアに対応するＣＳＩフィードバック情報を一緒にカスケードし、なお当該１つのアップリンクキャリアにおいて１つのＰＵＣＣＨ又はＰＵＳＣＨを介してかスケード処理済みのＡＣＫ／ＮＡＣＫフィードバック情報及びＣＳＩフィードバック情報を送信する。
【０１１４】
さらに、当該形態Ｃにおいて、同じ基地局に対応したＡＣＫ／ＮＡＣＫフィードバック情報及びＣＳＩフィードバック情報はそれぞれ当該基地局によりスケジューリングされる異なるキャリアに対応することができ、又は同じキャリアに対応することもできる。
【０１１５】
具体的には、第１基地局に対応したＡＣＫ／ＮＡＣＫフィードバック情報及びＣＳＩフィードバック情報はそれぞれ当該第１基地局によりスケジューリングされるダウンリンクキャリア中の異なるダウンリンクキャリアに対応することができ、当該第１基地局によりスケジューリングされるダウンリンクキャリア中の同じダウンリンクキャリアに対応することもできる。
【０１１６】
第２基地局に対応するＡＣＫ／ＮＡＣＫフィードバック情報及びＣＳＩフィードバック情報は、それぞれ当該第２基地局によりスケジューリングされるダウンリンクキャリアの中の異なるダウンリンクキャリアに対応することができ、当該第２基地局によりスケジューリングされるダウンリンクキャリア中の同じダウンリンクキャリアに対応することもできる。
【０１１７】
実施において、方法１に対し、ステップ４３において、端末が当該１つのアップリンクキャリアにおいて、ＰＵＣＣＨ及び／又はＰＵＳＣＨを介して、アップリンク制御情報を送信する前に、さらに以下を含む。
【０１１８】
端末は、受信された、第１基地局がハイヤレイヤ高位層シグナリングを介し送信した設定情報に基づき、当該端末が生成したアップリンク制御情報を送信するのに用いられるＰＵＣＣＨリソースを確定する。
【０１１９】
具体的には、当該端末が生成したアップリンク制御情報中にＡＣＫ／ＮＡＣＫフィードバック情報のみが含まれる場合、第１基地局が当該端末のために設定したＰＵＣＣＨリソースは、第３世代の移動体通信システムの標準化プロジェクト（Ｔｈｅ  ３ｒｄ  Ｇｅｎｅｒａｔｉｏｎ  Ｐａｒｔｎｅｒｓｈｉｐ，３ＧＰＰ）により規定されたＡＣＫ／ＮＡＣＫフィードバック情報の送信のためのＰＵＣＣＨ  ｆｏｒｍａｔ  （フォーマット）に対応するＰＵＣＣＨリソースであり、例えばＰＵＣＣＨ  ｆｏｒｍａｔ１／１ａ／１ｂ／３である。
【０１２０】
当該端末が生成したアップリンク制御情報にＣＳＩフィードバック情報のみが含まれる場合、第１基地局が当該端末のために設定したＰＵＣＣＨリソースは、３ＧＰＰ標準化プロジェクトにより規定されたＣＳＩフィードバック情報の送信のためのＰＵＣＣＨ  ｆｏｒｍａｔに対応するＰＵＣＣＨリソースであり、例えばＰＵＣＣＨ  ｆｏｒｍａｔ２／２ａ／２ｂである。
【０１２１】
当該端末が生成したアップリンク制御情報中にＡＣＫ／ＮＡＣＫフィードバック情報が含まれＣＳＩフィードバック情報も含まれる場合、第１基地局が当該端末に設定したＰＵＣＣＨリソースは、３ＧＰＰ標準化プロジェクトにより規定されたＡＣＫフィードバック情報及びＣＳＩフィードバック情報を同時に送信するためのＰＵＣＣＨ  ｆｏｒｍａｔに対応するＰＵＣＣＨリソースであり、例えばＰＵＣＣＨ  ｆｏｒｍａｔ３である。
【０１２２】
説明すべきは、ＰＵＣＣＨがシングルアンテナポートを採用し送信を行う場合には、１つのＰＵＣＣＨリソースを設定し、ＰＵＣＣＨが実用空間直交資源送信ダイバーシチ（Ｓｐａｔｉａｌ  Ｏｒｔｈｏｇｏｎａｌ  Ｒｅｓｏｕｒｃｅ  Ｔｒａｎｓｈｍｉｔ  Ｄｉｖｅｒｓｉｔｙ、ＳＯＲＴＤ）技術のダブルアンテナポートを採用し送信を行う場合には、２つのＰＵＣＣＨリソースを設定し、それぞれ異なるアンテナポートに対応する。
【０１２３】
好ましくは、高位層シグナリングはラジオ資源制御（Ｒａｄｉｏ  Ｒｅｓｏｕｒｃｅ  Ｃｏｎｔｒｏｌ、ＲＲＣ）シグナリング又はメディアアクセス制御（Ｍｅｄｉａ  Ａｃｃｅｓｓ  Ｃｏｎｔｒｏｌ、ＭＡＣ）シグナリングでも良い。
【０１２４】
上記方法１は同様に複数の基地局が当該端末へのデータのスケジューリングに適用され、当該端末は、当該１つのアップリンクキャリアにおいて、同じＰＵＣＣＨリソースのＰＵＣＣＨ又はＰＵＳＣＨを用い当該複数の基地局によりスケジューリングされるダウンリンクキャリアに対し生成されたアップリンク制御情報を同時に送信する。
【０１２５】
方法２
端末が当該１つのアップリンクキャリアにおいて、第１ＰＵＣＣＨリソースを用いた第１ＰＵＣＣＨを介し第１アップリンク制御情報を送信し、及び／又は当該１つのアップリンクキャリアにおいて、第２ＰＵＣＣＨリソースの第２ＰＵＣＣＨを用い第２アップリンク制御情報を送信する。第１ＰＵＣＣＨリソースと第２ＰＵＣＣＨリソースは異なるＰＵＣＣＨリソースである。
【０１２６】
方法２に対し、アップリンク制御情報に含まれた内容の違いに基づき、さらに以下の３つの実現形態を含む。
【０１２７】
形態１
アップリンク制御情報にＡＣＫ／ＮＡＣＫフィードバック情報が含まれている場合について説明する。
【０１２８】
１．もし端末が第１キャリアにてデータを受信し、かつ第２キャリアにていかなるデータを受信していなければ、具体的な処理手順は下記通りである。
【０１２９】
当該端末は、第１キャリアにおいてデータを受信したダウンリンクサブフレームに対しＡＣＫ／ＮＡＣＫを生成し、かつ、当該第１キャリアにおいてデータを受信していないダウンリンクサブフレームに対しＮＡＣＫ／ＤＴＸを生成することにより、当該第１キャリアに対応するＡＣＫ／ＮＡＣＫフィードバック情報が構成され、また、当該端末は、第２キャリアに対しＡＣＫ／ＮＡＣＫフイードバック情報を生成しない。
【０１３０】
さらに、当該端末は、当該１つのアップリンクキャリアにおいて、第１ＰＵＣＣＨリソースの第１ＰＵＣＣＨのみを用い第１キャリアに対応するＡＣＫ／ＮＡＣＫフィードバック情報を送信する。
【０１３１】
２．もし端末が第１キャリアにていかなるデータを受信しず、かつ第２キャリアにてデータを受信していれば、具体的な処理手順は下記の通りである。
【０１３２】
当該端末は、当該第１キャリアに対しＡＣＫ／ＮＡＣＫフィードバック情報を生成せず、及び当該端末は、当該第２キャリアにおいてデータを受信したダウンリンクサブフレームに対しＡＣＫ／ＮＡＣＫを生成し、かつ、当該第２キャリアにおいてデータを受信していないダウンリンクサブフレームに対しＮＡＣＫ／ＤＴＸを生成することにより、当該第２キャリアに対応するＡＣＫ／ＮＡＣＫフィードバック情報が構成される。
【０１３３】
さらに、当該端末は、当該１つのアップリンクキャリアにおいて、第２ＰＵＣＣＨリソースの第２ＰＵＣＣＨのみを用い第２キャリアに対応するＡＣＫ／ＮＡＣＫフィードバック情報を送信する。
【０１３４】
３．もし端末が第１キャリアにてデータを受信し、かつ第２キャリアにてもデータを受信していれば、具体的な処理手順は下記通りである。
【０１３５】
当該端末が当該第１キャリアにおいてデータを受信したダウンリンクサブフレームに対しＡＣＫ／ＮＡＣＫを生成し、かつ、当該第１キャリアにおいてデータを受信していないダウンリンクサブフレームに対しＮＡＣＫ／ＤＴＸを生成することにより、当該第１キャリアに対応するＡＣＫ／ＮＡＣＫフィードバック情報が構成される。なお、当該端末が当該第２キャリアにおいてデータを受信したダウンリンクサブフレームに対しＡＣＫ／ＮＡＣＫを生成し、かつ、当該第２キャリアにおいてデータを受信していないダウンリンクサブフレームに対しＮＡＣＫ／ＤＴＸを生成することにより、当該第２キャリアに対応するＡＣＫ／ＮＡＣＫフィードバック情報が構成される。
【０１３６】
さらに、当該端末は、当該１つのアップリンクキャリアにおいて、第１ＰＵＣＣＨリソースを用いる第１ＰＵＣＣＨを通じて第1キャリアに対応するＡＣＫ／ＮＡＣＫフィードバック情報を送信し、かつ、第２ＰＵＣＣＨリソースを用いる第２ＰＵＣＣＨを通じて第２キャリアに対応するＡＣＫ／ＮＡＣＫフィードバック情報を送信する。第1ＰＵＣＣＨリソースと第２ＰＵＣＣＨリソースとは異なるＰＵＣＣＨリソースである。
【０１３７】
形態２
アップリンク制御情報がＣＳＩフィードバック情報のみを含場合について、以下で説明する。
【０１３８】
１．もし端末が現行のアップリンクサブフレームにおいて第1キャリアのＣＳＩフィードバック情報だけをフィードバックすれば良ければ、具体的な処理手順は下記通りである。
【０１３９】
端末は第1キャリアに対応するＣＳＩ設定に基づき、当該第1キャリアに対応するＣＳＩフィードバック情報を生成し、端末は当該第２キャリアに対しＣＳＩフィードバック情報を生成しない。
【０１４０】
さらに、当該端末は当該1つのアップリンクキャリアにおいて、第１ＰＵＣＣＨリソースを用いる第１ＰＵＣＣＨを通じて第1キャリアに対応するＣＳＩィードバック情報を送信するだけである。
【０１４１】
２．もし端末が現行のアップリンクサブフレームにおいて第２キャリアのＣＳＩフィードバック情報をフィードバックするだけで良ければ、具体的な処理手順は下記通りである。
【０１４２】
端末は当該第1キャリアに対しＣＳＩフィードバック情報を生成せず、端末は第２キャリアに対応するＣＳＩ設定に基づき、当該第２キャリアに対応するＣＳＩフィードバック情報を生成する。
【０１４３】
さらに、当該端末は当該１つのアップリンクキャリアにおいて、第２ＰＵＣＣＨリソースを用いる第２ＰＵＣＣＨを通じて第２キャリアに対応するＣＳＩィードバック情報を送信するだけである。
【０１４４】
３.もし端末が現行アップリンクサブフレームにおいて第１キャリアのＣＳＩフィードバック情報をフィードする必要があり、かつ第２キャリアのＣＳＩフィードバック情報をフィードする必要もあれば、具体的な処理手順は下記通りである。
【０１４５】
端末は、第１キャリアに対応したＣＳＩ設定に基づき、当該第１キャリアに対応するＣＳＩフィードバック情報生成し、なお端末は、第２キャリアに対応したＣＳＩ設定に基づき、当該第２キャリアに対応するＣＳＩフィードバック情報を生成する。
【０１４６】
さらに、当該端末は、当該１つのアップリンクキャリアにおいて、それぞれ第１ＰＵＣＣＨリソースの第１ＰＵＣＣＨを用い第１キャリアに対応するＣＳＩフィードバック情報を送信し、なお第２ＰＵＣＣＨリソースの第２ＰＵＣＣＨを用い第２キャリアに対応するＣＳＩフィードバック情報を送信する。
【０１４７】
形態３
アップリンク制御情報にＡＣＫ／ＮＡＣＫフィードバック情報及びＣＳＩフィードバック情報が含まれていない場合について、以下で説明する。
【０１４８】
端末は、第１キャリア及び第２キャリアに対し上記形態１及び形態２に従ってそれぞれに対応するＡＣＫ／ＮＡＣＫフィードバック情報及びＣＳＩフィードバック情報を生成する。
【０１４９】
さらに、当該端末は、当該１つのアップリンクキャリアにおいて、それぞれ第１ＰＵＣＣＨリソースの第１ＰＵＣＣＨを用い第１キャリアに対応するＡＣＫ／ＮＡＣＫフィードバック情報及びＣＳＩフィードバック情報を送信し、かつ第２ＰＵＣＣＨリソースの第２ＰＵＣＣＨを用い第２キャリアに対応するＡＣＫ／ＮＡＣＫフィードバック情報及びＣＳＩフィードバック情報を送信する。
【０１５０】
さらに、当該形態３において、同じ基地局に対応したＡＣＫ／ＮＡＣＫフィードバック情報及びＣＳＩフィードバック情報はそれぞれ当該基地局にスケジューリングされる異なるキャリアに対応することができ、又は同じキャリアに対応することもできる。
【０１５１】
具体的には、第１基地局に対応したＡＣＫ／ＮＡＣＫフィードバック情報及びＣＳＩフィードバック情報はそれぞれ当該第１基地局によりスケジューリングされるダウンリンクキャリア中の異なるダウンリンクキャリアに対応することができ、当該第１基地局によりスケジューリングされるダウンリンクキャリア中の同じダウンリンクキャリアに対応することもできる。
【０１５２】
第２基地局に対応したＡＣＫ／ＮＡＣＫフィードバック情報及びＣＳＩフィードバック情報はそれぞれ当該第２基地局によりスケジューリングされるダウンリンクキャリア中の異なるダウンリンクキャリアに対応することができ、当該第２基地局によりスケジューリングされるダウンリンクキャリア中の同じダウンリンクキャリアに対応することもできる。
【０１５３】
上記方法２において、当該端末が当該１つのアップリンクキャリアにおいて第１基地局によりスケジューリングされた第１ＰＵＳＣＨが存在するか否かに関わらず、当該端末は、当該１つのアップリンクキャリアにおいて第１ＰＵＣＣＨリソースのＰＵＣＣＨを用い第１アップリンク制御情報を送信し、当該端末が当該１つのアップリンクキャリアにおいて第２基地局によりスケジューリングされた第２ＰＵＳＣＨが存在するか否かに関わらず、当該端末は、当該１つのアップリンクキャリアにおいて第２ＰＵＣＣＨリソースのＰＵＣＣＨを用い第２アップリンク制御情報を送信する。
【０１５４】
上記方法２は同様に複数の基地局が当該端末へのデータのスケジューリングに適用され、当該端末は、当該１つのアップリンクキャリアにおいて、異なるＰＵＣＣＨリソースのＰＵＣＣＨを用い当該複数の基地局によりスケジューリングされるダウンリンクキャリアに対し生成されたアップリンク制御情報を送信する。
【０１５５】
方法３
もし端末が当該１つのアップリンクキャリアにおいて第１基地局によりスケジューリングされた第１ＰＵＳＣＨが存在すれば、リソースを節約するために、当該端末は、第１ＰＵＳＣＨを用い第１アップリンク制御情報を送信する。さもないと、当該端末は、当該１つのアップリンクキャリアにおいて第１ＰＵＣＣＨリソースの第１ＰＵＣＣＨを用い第１アップリンク制御情報を送信する。
【０１５６】
第１ＰＵＣＣＨリソースと第２ＰＵＣＣＨリソースとは異なるＰＵＣＣＨリソースである。
【０１５７】
及び／又は、もし当該１つのアップリンクキャリアにおいて第２基地局によりスケジューリングされた第２ＰＵＳＣＨが存在すれば、リソースを節約するために、当該端末は、第２ＰＵＳＣＨを用い第２アップリンク制御情報を送信する。さもないと、端末は、当該１つのアップリンクキャリアにおいて第２ＰＵＣＣＨリソースの第２ＰＵＣＣＨを用い第２アップリンク制御情報を送信する。第１ＰＵＣＣＨリソースと第２ＰＵＣＣＨリソースとは異なるＰＵＣＣＨリソースである。
【０１５８】
方法３に対し、アップリンク制御情報に含まれた内容の違いに基づき、さらに以下の３つの実現形態を含む。
【０１５９】
形態１
もしアップリンク制御情報にＡＣＫ／ＮＡＣＫフィードバック情報が含まれていれば。
【０１６０】
１．もし端末が第１キャリアにてデータを受信し、かつ第２キャリアにていかなるデータを受信していなければ、具体的な処理手順は下記通りである。
【０１６１】
当該端末が第１キャリアにおいてデータを受信したダウンリンクサブフレームに対しＡＣＫ／ＮＡＣＫを生成し、かつ、当該第１キャリアにおいてデータを受信していないダウンリンクサブフレームに対しＮＡＣＫ／ＤＴＸを生成することにより、当該第１キャリアに対応するＡＣＫ／ＮＡＣＫフィードバック情報が構成され、なお当該端末は、第２キャリアに対しＡＣＫ／ＮＡＣＫフイードバック情報を生成しない。
【０１６２】
さらに、もし当該１つのアップリンクキャリアにおいて第１基地局によりスケジューリングされた第１ＰＵＳＣＨが存在すれば、リソースを節約するために、当該端末は、当該１つのアップリンクキャリアにおいて、第１ＰＵＳＣＨを用い第１キャリアに対応するＡＣＫ／ＮＡＣＫフィードバック情報を送信する。さもないと、当該端末は、当該１つのアップリンクキャリアにおいて、第１ＰＵＣＣＨリソースの第１ＰＵＣＣＨを用い第１キャリアに対応するＡＣＫ／ＮＡＣＫフィードバック情報を送信する。
【０１６３】
２．もし端末が第１キャリアにていかなるデータを受信せず、かつ第２キャリアにてデータを受信していれば、具体的な処理手順は下記通りである。
【０１６４】
当該端末は、第１キャリアに対しＡＣＫ／ＮＡＣＫフイードバック情報を生成せず、なお当該端末は、当該第２キャリアにおいてデータを受信したダウンリンクサブフレームに対しＡＣＫ／ＮＡＣＫを生成し、かつ、当該第２キャリアにおいてデータを受信していないダウンリンクサブフレームに対しＮＡＣＫ／ＤＴＸを生成することにより、当該第２キャリアに対応するＡＣＫ／ＮＡＣＫフィードバック情報が構成される。
【０１６５】
さらに、もし当該１つのアップリンクキャリアにおいて第２基地局によりスケジューリングされた第２ＰＵＳＣＨが存在すれば、リソースを節約するために、当該端末は、当該１つのアップリンクキャリアにおいて、第２ＰＵＳＣＨを用い第２キャリアに対応するＡＣＫ／ＮＡＣＫフィードバック情報を送信する。さもないと、当該端末は、当該１つのアップリンクキャリアにおいて、第２ＰＵＣＣＨリソースの第２ＰＵＣＣＨを用い第２キャリアに対応するＡＣＫ／ＮＡＣＫフィードバック情報を送信する。
【０１６６】
３．もし端末が第１キャリアにてデータを受信し、かつ第２キャリアにてデータを受信していれば、具体的な処理手順は下記通りである。
【０１６７】
当該端末が当該第１キャリアにおいてデータを受信したダウンリンクサブフレームに対しＡＣＫ／ＮＡＣＫを生成し、かつ、当該第１キャリアにおいてデータを受信していないダウンリンクサブフレームに対しＮＡＣＫ／ＤＴＸを生成することにより、当該第１キャリアに対応するＡＣＫ／ＮＡＣＫフィードバック情報が構成される。なお当該端末は、当該第２キャリアにおいてデータを受信したダウンリンクサブフレームに対しＡＣＫ／ＮＡＣＫを生成し、かつ、当該第２キャリアにおいてデータを受信していないダウンリンクサブフレームに対しＮＡＣＫ／ＤＴＸを生成することにより、当該第２キャリアに対応するＡＣＫ／ＮＡＣＫフィードバック情報が構成される。
【０１６８】
さらに、もし当該１つのアップリンクキャリアにおいて第１基地局によりスケジューリングされた第１ＰＵＳＣＨが存在し、かつ端末が当該１つのアップリンクキャリアにおいて第２基地局によりスケジューリングされた第２ＰＵＳＣＨが存在すれば、当該端末は、当該１つのアップリンクキャリアにおいて、それぞれ第１ＰＵＳＣＨにより第１キャリアに対応するＡＣＫ／ＮＡＣＫフィードバック情報を、第２ＰＵＳＣＨにより第２キャリアに対応するＡＣＫ／ＮＡＣＫフィードバック情報を送信する。
【０１６９】
もし当該端末が当該１つのアップリンクキャリアにおいて第１基地局によりスケジューリングされた第１ＰＵＳＣＨが存在し、かつ当該１つのアップリンクキャリアにおいて第２基地局によりスケジューリングされた第２ＰＵＳＣＨは存在しなければ、当該端末は、当該１つのアップリンクキャリアにおいて、第１ＰＵＳＣＨにより第１キャリアに対応するＡＣＫ／ＮＡＣＫフィードバック情報を送信し、かつ第２ＰＵＣＣＨリソースの第２ＰＵＣＣＨにより第２キャリアに対応するＡＣＫ／ＮＡＣＫフィードバック情報を送信する。
【０１７０】
もし当該１つのアップリンクキャリアにおいて第１基地局によりスケジューリングされた第１ＰＵＳＣＨは存在せず、かつ当該１つのアップリンクキャリアにおいて、第２基地局によりスケジューリングされた第２ＰＵＳＣＨが存在すれば、当該端末は、当該１つのアップリンクキャリアにおいて、第１ＰＵＣＣＨリソースの第１ＰＵＣＣＨを用い第１キャリアに対応するＡＣＫ／ＮＡＣＫフィードバック情報を送信し、かつ第２ＰＵＳＣＨにより第２キャリアに対応するＡＣＫ／ＮＡＣＫフィードバック情報を送信する。
【０１７１】
もし当該端末が当該１つのアップリンクキャリアにおいて第１基地局によりスケジューリングされた第１ＰＵＳＣＨが存在せず、かつ当該端末が当該１つのアップリンクキャリアにおいて第２基地局によりスケジューリングされた第２ＰＵＳＣＨが存在しなければ、当該端末は、当該１つのアップリンクキャリアにおいて、第１ＰＵＣＣＨリソースの第１ＰＵＣＣＨを用い第１キャリアに対応するＡＣＫ／ＮＡＣＫフィードバック情報を送信し、かつ第２ＰＵＣＣＨリソースの第２ＰＵＣＣＨを用い第２キャリアに対応するＡＣＫ／ＮＡＣＫフィードバック情報を送信する。第１ＰＵＣＣＨリソースと第２ＰＵＣＣＨリソースとは異なるＰＵＣＣＨリソースである。
【０１７２】
形態２
もしアップリンク制御情報にＣＳＩフィードバック情報のみが含まれていれば、
【０１７３】
１．もし端末が現行アップリンクサブフレームにおいて第１キャリアのＣＳＩフィードバック情報のみフィードバックする必要があれば、具体的な処理手順は下記通りである。
【０１７４】
端末は、第１キャリアに対応するＣＳＩ設定に基づき、当該第１キャリアに対応するＣＳＩフィードバック情報を生成し、及び端末は、当該第２キャリアに対応するＣＳＩフィードバック情報を生成しない。
【０１７５】
さらに、もし当該端末が当該１つのアップリンクキャリアにおいて第１基地局によりスケジューリングされた第１ＰＵＳＣＨが存在すれば、リソースを節約するために、当該端末は、当該１つのアップリンクキャリアにおいて、第１ＰＵＳＣＨにより第１キャリアに対応するＣＳＩフィードバック情報を送信する。さもないと、当該端末は、当該１つのアップリンクキャリアにおいて、第１ＰＵＣＣＨリソースの第１ＰＵＣＣＨを用い第１キャリアに対応するＣＳＩフィードバック情報を送信する。
【０１７６】
２．もし端末が現行アップリンクサブフレームにおいて第２キャリアのＣＳＩフィードバック情報のみフィードバックする必要があれば、具体的な処理手順は下記通りである。
【０１７７】
端末は、当該第１キャリアに対しＣＳＩフィードバック情報は生成しない。なお端末は、第２キャリアに対応するＣＳＩ設定に基づき、当該第２キャリアに対応するＣＳＩフィードバック情報を生成する。
【０１７８】
さらに、もし当該端末が当該１つのアップリンクキャリアにおいて第２基地局によりスケジューリングされた第２ＰＵＳＣＨが存在すれば、リソースを節約するために、当該端末は、当該１つのアップリンクキャリアにおいて、第２ＰＵＳＣＨにより第２キャリアに対応するＣＳＩフィードバック情報を送信する。さもないと、当該端末は、当該１つのアップリンクキャリアにおいて、第２ＰＵＣＣＨリソースの第２ＰＵＣＣＨを用い第２キャリアに対応するＣＳＩフィードバック情報を送信する。
【０１７９】
３．もし端末が現行アップリンクサブフレームにおいて第１キャリアのＣＳＩフィードバック情報をフィードする必要があり、第２キャリアのＣＳＩフィードバック情報をフィードする必要もあれば、具体的な処理手順は下記通りである。
【０１８０】
端末は、第１キャリアに対応したＣＳＩ設定に基づき、当該第１キャリアに対応するＣＳＩフィードバック情報を生成し、なお端末は、第２キャリアに対応したＣＳＩ設定に基づき、当該第２キャリアに対応するＣＳＩフィードバック情報を生成する。
【０１８１】
さらに、もし当該端末が当該１つのアップリンクキャリアにおいて第１基地局によりスケジューリングされた第１ＰＵＳＣＨが存在し、かつ当該端末が当該１つのアップリンクキャリアにおいて第２基地局によりスケジューリングされた第２ＰＵＳＣＨが存在すれば、当該端末は、当該１つのアップリンクキャリアにおいて、それぞれ第１ＰＵＳＣＨにより第１キャリアに対応するＣＳＩフィードバック情報を、第２ＰＵＳＣＨにより第２キャリアに対応するＣＳＩフィードバック情報を送信する。
【０１８２】
もし当該端末が当該１つのアップリンクキャリアにおいて第１基地局によりスケジューリングされた第１ＰＵＳＣＨが存在し、かつ当該端末が当該１つのアップリンクキャリアにおいて第２基地局によりスケジューリングされた第２ＰＵＳＣＨは存在しなければ、当該端末は、当該１つのアップリンクキャリアにおいて、第１ＰＵＳＣＨにより第１キャリアに対応するＣＳＩフィードバック情報を送信し、かつ第２ＰＵＣＣＨリソースの第２ＰＵＣＣＨにより第２キャリアに対応するＣＳＩフィードバック情報を送信する。
【０１８３】
もし当該端末が当該１つのアップリンクキャリアにおいて第１基地局によりスケジューリングされた第１ＰＵＳＣＨが存在せず、かつ当該端末が当該１つのアップリンクキャリアにおいて第２基地局によりスケジューリングされた第２ＰＵＳＣＨが存在すれば、当該端末は、当該１つのアップリンクキャリアにおいて、第１ＰＵＣＣＨリソースの第１ＰＵＣＣＨを用い第１キャリアに対応するＣＳＩフィードバック情報を送信し、かつ第２ＰＵＳＣＨにより第２キャリアに対応するＣＳＩフィードバック情報を送信する。
【０１８４】
もし当該端末が当該１つのアップリンクキャリアにおいて第１基地局によりスケジューリングされた第１ＰＵＳＣＨが存在せず、かつ当該端末が当該１つのアップリンクキャリアにおいて第２基地局によりスケジューリングされた第２ＰＵＳＣＨは存在しなければ、当該端末は、当該１つのアップリンクキャリアにおいて、第１ＰＵＣＣＨリソースの第１ＰＵＣＣＨを用い第１キャリアに対応するＣＳＩフィードバック情報を送信し、かつ第２ＰＵＣＣＨリソースの第２ＰＵＣＣＨを用い第２キャリアに対応するＣＳＩフィードバック情報を送信する。第１ＰＵＣＣＨリソースと第２ＰＵＣＣＨリソースとは異なるＰＵＣＣＨリソースである。
【０１８５】
形態３
もしアップリンク制御情報にＡＣＫ／ＮＡＣＫフィードバック情報及びＣＳＩフィードバック情報が含まれていれば、
【０１８６】
端末は、第１キャリア及び第２キャリアに対し上記形態１及び形態２に従ってそれぞれに対応するＡＣＫ／ＮＡＣＫフィードバック情報及びＣＳＩフィードバック情報を生成する。
【０１８７】
さらに、当該端末は、当該１つのアップリンクキャリアにおいて第１基地局によりスケジューリングされた第１ＰＵＳＣＨが存在し、かつ当該端末が当該１つのアップリンクキャリアにおいて第２基地局によりスケジューリングされた第２ＰＵＳＣＨが存在すれば、当該端末は、当該１つのアップリンクキャリアにおいて、それぞれ第１ＰＵＳＣＨにより第１キャリアに対応するＡＣＫ／ＮＡＣＫフィードバック情報及びＣＳＩフィードバック情報を、第２ＰＵＳＣＨにより第２キャリアに対応するＡＣＫ／ＮＡＣＫフィードバック情報及びＣＳＩフィードバック情報を送信する。
【０１８８】
もし当該端末が当該１つのアップリンクキャリアにおいて第１基地局によりスケジューリングされた第１ＰＵＳＣＨが存在し、かつ当該端末が当該１つのアップリンクキャリアにおいて第２基地局によりスケジューリングされた第２ＰＵＳＣＨは存在しなければ、当該端末は、当該１つのアップリンクキャリアにおいて、第１ＰＵＳＣＨにより第１キャリアに対応するＡＣＫ／ＮＡＣＫフィードバック情報及びＣＳＩフィードバック情報を送信し、かつ第２ＰＵＣＣＨリソースの第２ＰＵＣＣＨを用い第２キャリアに対応するＡＣＫ／ＮＡＣＫフィードバック情報及びＣＳＩフィードバック情報を送信する。
【０１８９】
もし当該端末が当該１つのアップリンクキャリアにおいて第１基地局によりスケジューリングされた第１ＰＵＳＣＨが存在せず、かつ当該端末が当該１つのアップリンクキャリアにおいて、第２基地局によりスケジューリングされた第２ＰＵＳＣＨが存在すれば、当該端末は、当該１つのアップリンクキャリアにおいて、第１ＰＵＣＣＨリソースの第１ＰＵＣＣＨを用い第１キャリアに対応するＡＣＫ／ＮＡＣＫフィードバック情報及びＣＳＩフィードバック情報を送信し、かつ第２ＰＵＳＣＨにより第２キャリアに対応するＡＣＫ／ＮＡＣＫフィードバック情報及びＣＳＩフィードバック情報を送信する。
【０１９０】
もし当該端末が当該１つのアップリンクキャリアにおいて第１基地局によりスケジューリングされた第１ＰＵＳＣＨが存在せず、かつ当該端末が当該１つのアップリンクキャリアにおいて第２基地局によりスケジューリングされた第２ＰＵＳＣＨが存在しなければ、当該端末は、当該１つのアップリンクキャリアにおいて、第１ＰＵＣＣＨリソースの第１ＰＵＣＣＨを用い第１キャリアに対応するＡＣＫ／ＮＡＣＫフィードバック情報及びＣＳＩフィードバック情報を送信し、かつ第２ＰＵＣＣＨリソースの第２ＰＵＣＣＨを用い第２キャリアに対応するＡＣＫ／ＮＡＣＫフィードバック情報及びＣＳＩフィードバック情報を送信する。第１ＰＵＣＣＨリソースと第２ＰＵＣＣＨリソースとは異なるＰＵＣＣＨリソースである。
【０１９１】
さらに、当該形態３において、同じ基地局に対応したＡＣＫ／ＮＡＣＫフィードバック情報及びＣＳＩフィードバック情報はそれぞれ当該基地局にスケジューリングされる異なるキャリアに対応することができ、又は同じキャリアに対応することもできる。
【０１９２】
具体的には、第１基地局に対応したＡＣＫ／ＮＡＣＫフィードバック情報及びＣＳＩフィードバック情報はそれぞれ当該第１基地局によりスケジューリングされるダウンリンクキャリア中の異なるダウンリンクキャリアに対応することができ、当該第１基地局によりスケジューリングされるダウンリンクキャリア中の同じダウンリンクキャリアに対応することもできる。
【０１９３】
第２基地局に対応したＡＣＫ／ＮＡＣＫフィードバック情報及びＣＳＩフィードバック情報はそれぞれ当該第２基地局によりスケジューリングされるダウンリンクキャリア中の異なるダウンリンクキャリアに対応することができ、当該第２基地局によりスケジューリングされるダウンリンクキャリア中の同じダウンリンクキャリアに対応することもできる。
【０１９４】
上記方法３は同様に複数の基地局が当該端末へのデータのスケジューリングに適用され、当該端末は、当該１つのアップリンクキャリアにおいて、異なる基地局によりスケジューリングされるＰＵＳＣＨ又は異なるＰＵＣＣＨリソースのＰＵＣＣＨを用い当該複数の基地局によりスケジューリングされるダウンリンクキャリアに対し生成されたアップリンク制御情報を送信する。
【０１９５】
上記方法２及び方法３に対し、端末が当該１つのアップリンクキャリアにおいてアップリンク制御情報の送信に用いるリソースを受信することは、具体的には以下を含む。
【０１９６】
１．もしアップリンク制御情報にＡＣＫ／ＮＡＣＫフィードバック情報が含まれていれば、端末は、当該１つのアップリンクキャリアにおいて、ＰＵＣＣＨ及び／又はＰＵＳＣＨによりアップリンク制御情報を送信する前に、当該方法はさらに以下を含む。
【０１９７】
端末は、受信された、第１基地局がハイヤレイヤ高位層シグナリングを介し送信した設定情報に基づき、第１ＰＵＣＣＨに用いられる第１ＰＵＣＣＨリソースを確定し、又は、端末は、受信された第１基地局が送信した物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）又は拡張物理ダウンリンク制御チャネル（ＥＰＤＣＣＨ）中のＡＣＫ／ＮＡＣＫリソース指標フィールド（ＡＣＫ／ＮＡＣＫ  Ｒｅｓｏｕｒｃｅ  Ｉｎｄｉｃａｔｏｒ、ＡＲＩ）に基づき、第１基地局が当該端末に予め設定した複数のＰＵＣＣＨリソース中の少なくとも１つのＰＵＣＣＨリソースを第１ＰＵＣＣＨリソースに確定する。
【０１９８】
及び／又は、端末は、受信された第１基地局が送信した設定情報に基づき、第２ＰＵＣＣＨに用いられる第２ＰＵＣＣＨリソースを確定し、又は、端末は、受信された第２基地局が送信した設定情報に基づき、第２ＰＵＣＣＨに用いられる第２ＰＵＣＣＨリソースを確定し、又は、端末は、受信された第２基地局が送信したＰＤＣＣＨ又はＥＰＤＣＣＨ中のＡＲＩに基づき、第２ＰＵＣＣＨに用いられる第２ＰＵＣＣＨリソースを確定する。
【０１９９】
第２ＰＵＣＣＨリソースは第１基地局が第２基地局に予め通知した第２基地局が用いることができるすべてのＰＵＣＣＨリソース中の少なくとも１つのＰＵＣＣＨリソースである。
【０２００】
具体的には、第１ＰＵＣＣＨリソース及び第２ＰＵＣＣＨリソースは、３ＧＰＰ標準化プロジェクトにより規定されたＡＣＫ／ＮＡＣＫフィードバック情報を送信するためのＰＵＣＣＨ  ｆｏｒｍａｔに対応するＰＵＣＣＨリソースであり（例えばＰＵＣＣＨ  ｆｏｒｍａｔ１／   １ａ／１ｂ／３）、かつ第１ＰＵＣＣＨリソースと第２ＰＵＣＣＨリソースとは異なる。
【０２０１】
さらに、上記ＡＲＩは具体的には以下の通りである。
【０２０２】
上記ＡＲＩは第１基地局及び第２基地局が送信したＥＰＤＣＣＨ中の固定ビットフィールドである。
【０２０３】
又は、第１基地局及び第２基地局が送信したＰＤＣＣＨ中の増加されたビットフィールドである。
【０２０４】
又は、第１基地局が時分割多重（Ｔｉｍｅ  Ｄｉｖｉｓｉｏｎ  Ｄｕｐｌｅｘ、ＴＤＤ）システムを用いる場合、第１基地局が送信したＰＣＣに対応するダウンリンク割当インデックスＤＡＩ＝１（Ｄｏｗｎｌｉｎｋ  Ａｓｓｉｇｎｍｅｎｔ  Ｉｎｄｅｘ）のＰＤＣＣＨ以外のすべての多重化されたＰＤＣＣＨ中の送信電力制御（Ｔｒａｎｓｍｉｔ  Ｐｏｗｅｒ  Ｃｏｎｔｒｏｌ、ＴＰＣ）フィールドである。
【０２０５】
具体的には、当該ＡＲＩが第１基地局が送信したＰＣＣに対応したＤＡＩが１であるＰＤＣＣＨ以外のすべての多重化されたＰＤＣＣＨ中のＴＰＣフィールドである場合、この際のＰＤＣＣＨ中のＡＲＩは存在しない可能性があり、端末が第１基地局によりスケジューリングされたダウンリンクキャリアにおいてＡＲＩフィールドを有するＰＤＤＣＣＨ／ＥＰＤＣＣＨを受信されていない場合（例えば直後第１基地局がスケジューリングしたＰＣＣに対応したＤＡＩが１であるＰＤＣＣＨを受信された場合）、受信されたＰＤＣＣＨの最小制御チャネルエレメント（Ｃｏｎｔｒｏｌ  Ｃｈａｎｎｅｌ  Ｅｌｅｍｅｎｔ、ＣＣＥ）インデックス（ｉｎｄｅｘ）に基づき暗黙的な方式のＰＵＣＣＨリソースを確定し、第１キャリアに対応するＡＣＫ／ＮＡＣＫフィードバック情報の送信に用いる。
【０２０６】
２．もしアップリンク制御情報にＣＳＩフィードバック情報のみが含まれていれば、端末は、当該１つのアップリンクキャリアにおいて、ＰＵＣＣＨ及び／又はＰＵＳＣＨによりアップリンク制御情報を送信する前に、当該方法はさらに以下を含む。
【０２０７】
端末は、受信された、第１基地局がハイヤレイヤ高位層シグナリングを介し送信した設定情報に基づき、第１ＰＵＣＣＨに用いられる第１ＰＵＣＣＨリソースを確定する。
【０２０８】
及び／又は、端末は、受信された、第１基地局が高位層シグナリングを介し送信した設定情報に基づき、第２ＰＵＣＣＨに用いられる第２ＰＵＣＣＨリソースを確定し、又は、端末は、受信された第２基地局が送信した設定情報に基づき、第２ＰＵＣＣＨに用いられる第２ＰＵＣＣＨリソースを確定する。
【０２０９】
第２ＰＵＣＣＨリソースは第１基地局が第２基地局に予め通知した第２基地局が使用可能なすべてのＰＵＣＣＨリソース中の少なくとも１つのＰＵＣＣＨリソースである。
【０２１０】
具体的には、第１ＰＵＣＣＨリソース及び第２ＰＵＣＣＨリソースは、３ＧＰＰ標準化プロジェクトにより規定されたＣＳＩフィードバック情報を送信するためのＰＵＣＣＨ  ｆｏｒｍａｔに対応するＰＵＣＣＨリソースであり（例えばＰＵＣＣＨ  ｆｏｒｍａｔ２／  ２ａ／２ｂ）、かつ第１ＰＵＣＣＨリソースと第２ＰＵＣＣＨリソースとは異なる。
【０２１１】
好ましくは、上記高位層シグナリングはＲＲＣシグナリング又はＭＡＣシグナリングでも良い。
【０２１２】
３．もしアップリンク制御情報にＡＣＫ／ＮＡＣＫフィードバック情報が含まれ、又ＣＳＩフィードバック情報も含まれれば、端末は、上記の２つのリソース取得形態中のいずれかの形態を採用し、第１ＰＵＣＣＨリソース及び／又は第２ＰＵＣＣＨリソースを取得すれば良い。
【０２１３】
好ましくは、端末は、ＡＣＫ／ＮＡＣＫのリソース取得形態に従い、第１ＰＵＣＣＨリソース及び／又は第２ＰＵＣＣＨリソースを取得する。
【０２１４】
上記実施例に基づき、本発明の実施例はさらにフィードバック情報の受信方法を提供し、当該方法はデュアル接続シーンに用いられ、図５に示すように、当該方法はステップ５１と、ステップ５２とを含む。
【０２１５】
ステップ５１、第１基地局は第１キャリアにて端末へデータを送信する。ここで、当該端末には、少なくとも第１キャリア及び第２キャリアが設定され、当該第１キャリアのデータは当該第１基地局によりスケジューリングされ、当該第２キャリアのデータは第２基地局によりスケジューリングされる。
【０２１６】
ステップ５２、第１基地局は１つのアップリンクキャリアにおいて、ＰＵＣＣＨ又はＰＵＳＣＨにより端末が送信したアップリンク制御情報を受信し、当該１つのアップリンクキャリアは端末へデータをスケジューリングする各基地局に対応するアップリンク制御情報の送信に用いられる。
【０２１７】
本発明の実施例においては、ステップ５２において、当該１つのアップリンクキャリアは当該端末に対しデータをスケジューリングする各基地局に対応するアップリンク制御情報を送信するために用いられ、具体的には以下の通りである。
【０２１８】
ネットワーク側は端末のために設定されたアップリンクデータを送信するための１つのみのアップリンクキャリアであり、又は、ネットワーク側から端末のために設定されたアップリンクデータを送信するための複数のアップリンクキャリアにおいて、予め指定又は予め設定された１つのアップリンクキャリアであり、又は、端末のアップリンクプライマリーキャリアである。
【０２１９】
本発明の実施例において、もし第２基地局も第２キャリアにおいて端末へデータを送信したなら、第２基地局も当該１つのアップリンクキャリアにおいて端末が送信したアップリンク制御情報を受信され、その際に当該アップリンク制御情報は第１アップリンク制御情報及び第２アップリンク制御情報を含み、第２基地局の処理の手順が第１基地局と似ているため、ここでは重複な説明を省略する。
【０２２０】
実施においては、ステップ５２において、第１基地局が当該１つのアップリンクキャリアにおいて、ＰＵＣＣＨ及び／又はＰＵＳＣＨにより端末が送信したアップリンク制御情報を受信し、具体的には以下の３つの好ましい実施方法を含む。
【０２２１】
方法１
第１基地局は当該１つのアップリンクキャリアにおいて、１つのＰＵＣＣＨ又はＰＵＳＣＨを介し端末が送信したアップリンク制御情報を受信し、当該アップリンク制御情報は第１アップリンク制御情報及び第２アップリンク制御情報を含む。
【０２２２】
当該方法においては、実施において、第１基地局が当該１つのアップリンクキャリアにて端末が送信したアップリンク制御情報を受信されてから、当該方法はさらに以下を含む。
【０２２３】
第１基地局は設定のカスケード形態に基づき、受信されたアップリンク制御情報の中から第１アップリンク制御情報を取得する。
【０２２４】
本発明の実施例において、設定のカスケード処理は以下の形態中の１つを含み、ただしこれに限らない。
【０２２５】
即ち、前後カスケード形態において、パリティ順位に従って交わるカスケード形態である。
【０２２６】
特筆すべきは、端末が送信したアップリンク制御情報を第２基地局が受信する方法は第１基地局と類似し、具体的には以下の通りである。
【０２２７】
第２基地局は、当該１つのアップリンクキャリアにおいて、同じＰＵＣＣＨ又はＰＵＳＣＨ（すなわち、第１基地局がアップリンク制御情報を受信する際のＰＵＣＣＨ又はＰＵＳＣＨと同じ）により端末が送信したアップリンク制御情報を受信する。当該アップリンク制御情報は第１アップリンク制御情報及び第２アップリンク制御情報を含む。
【０２２８】
なお、第２基地局は設定のカスケード形態に基づき、受信されたアップリンク制御情報の中から第２アップリンク制御情報を取得する。
【０２２９】
実施においては、方法１に対し、ステップ５２において、第１基地局が当該１つのアップリンクキャリアにて端末が送信したアップリンク制御情報を受信する前に、さらに以下を含む。
【０２３０】
第１基地局は高位層シグナリングを介し端末へ設定情報を送信し、当該端末に、アップリンク制御情報の送信に用いるための少なくとも１つのＰＵＣＣＨリソースを指示する。
【０２３１】
具体的には、当該端末が生成したアップリンク制御情報にＡＣＫ／ＮＡＣＫフィードバック情報のみ含まれる場合、第１基地局が当該端末のために設定したＰＵＣＣＨリソースは、３ＧＰＰ標準化プロジェクトにより規定されたＡＣＫ／ＮＡＣＫフィードバック情報の送信のためのＰＵＣＣＨ  ｆｏｒｍａｔに対応するＰＵＣＣＨリソースであり、例えばＰＵＣＣＨ  ｆｏｒｍａｔ１／１ａ／１ｂ／３である。
【０２３２】
当該端末が生成したアップリンク制御情報にＣＳＩフィードバック情報のみが含まれる場合、第１基地局が当該端末のために設定したＰＵＣＣＨリソースは、３ＧＰＰ標準化プロジェクトにより規定されたＣＳＩフィードバック情報の送信のためのＰＵＣＣＨ  ｆｏｒｍａｔに対応するＰＵＣＣＨリソースであり、例えばＰＵＣＣＨ  ｆｏｒｍａｔ２／２ａ／２ｂである。
【０２３３】
当該端末が生成したアップリンク制御情報にＡＣＫ／ＮＡＣＫフィードバック情報が含まれＣＳＩフィードバック情報も含まれる場合、第１基地局が当該端末に設定したＰＵＣＣＨリソースは、３ＧＰＰ標準化プロジェクトにより規定されたＡＣＫフィードバック情報及びＣＳＩフィードバック情報を同時に送信するためのＰＵＣＣＨ  ｆｏｒｍａｔに対応するＰＵＣＣＨリソースであり、例えばＰＵＣＣＨ  ｆｏｒｍａｔ３である。
【０２３４】
好ましくは、当該高位層シグナリングはＲＲＣシグナリング又はＭＡＣシグナリングでも良い。
【０２３５】
さらに、ステップ５２において、第１基地局は当該１つのアップリンクキャリアにおいて、第１基地局が当該端末に設定したＰＵＣＣＨリソースにより、当該端末が送信したアップリンク制御情報を受信する。
【０２３６】
特筆すべきは、上記リソース設定手順において、ＰＵＣＣＨがシングルアンテナポートを採用して送信する場合には、１つのＰＵＣＣＨリソースを設定し、ＰＵＣＣＨが実用ＳＯＲＴＤ技術のダブルアンテナポートを採用して送信する場合には、２つのＰＵＣＣＨリソースを設定し、それぞれ異なるアンテナポートに対応する。
【０２３７】
さらに、当該方法は以下を含む。
【０２３８】
第１基地局は、端末に設定したＰＵＣＣＨリソースを第２基地局に通知することにより、第２基地局が、当該１つのアップリンクキャリアにおいて、第１基地局から当該第２基地局に通知した当該端末が用いるＰＵＣＣＨリソースにより、当該端末から送信したアップリンク制御情報を受信するようにする。
【０２３９】
上記方法１は同様に複数の基地局が当該端末へのデータのスケジューリングに適用され、当該第１基地局以外のその他の基地局が当該１つのアップリンクキャリアにおいて、同じＰＵＣＣＨ又はＰＵＳＣＨにより当該端末が送信したアップリンク制御情報を受信する場合、端末が送信したアップリンク制御情報を当該その他の基地局が受信する様子は第２基地局の場合と類似するため、ここでは重複な説明を省略する。
【０２４０】
方法２
第１基地局は、当該１つのアップリンクキャリアにおいて、第１ＰＵＣＣＨリソースを用いた第１ＰＵＣＣＨを介しアップリンク制御情報を受信し、当該アップリンク制御情報は第１アップリンク制御情報を含み、ただし第２アップリンク制御情報は含まない。
【０２４１】
特筆すべきは、もし第２基地局が第２キャリアにて端末へデータを送信したなら、第２基地局が端から送信したアップリンク制御情報を受信する方法は第１基地局と類似し、具体的には以下の通りである。
【０２４２】
第２基地局は当該１つのアップリンクキャリアにおいて、第２ＰＵＣＣＨリソースの第２ＰＵＣＣＨを用いアップリンク制御情報を受信し、当該アップリンク制御情報は第２アップリンク制御情報を含み、ただし第１アップリング制御情報は含まない。
【０２４３】
上記方法２において、第１基地局が当該１つのアップリンクキャリアにて端末へ第１ＰＵＳＣＨをスケジューリングしたか否かに関わらず、当該端末は、当該１つのアップリンクキャリアにて第１ＰＵＣＣＨリソースのＰＵＣＣＨにより第１アップリンク制御情報を送信する。従って、当該第１基地局は当該１つのアップリンクキャリアにて第１ＰＵＣＣＨリソースのＰＵＣＣＨにより当該第１アップリンク制御情報を受信する。第２基地局が当該１つのアップリンクキャリアにて当該端末へ第２ＰＵＳＣＨをスケジューリングしたか否かに関わらず、当該端末は、当該１つのアップリンクキャリアにて第２ＰＵＣＣＨリソースのＰＵＣＣＨにより第２アップリンク制御情報を送信し、従って、当該第２基地局は当該１つのアップリンクキャリアにて第２ＰＵＣＣＨリソースのＰＵＣＣＨにより当該第２アップリンク制御情報を受信する。
【０２４４】
上記方法２は同様に複数の基地局が当該端末へのデータのスケジューリングに適用され、当該第１基地局以外のその他の基地局が当該１つのアップリンクキャリアにおいて、異なるリソースのＰＵＣＣＨにより当該端末が送信したアップリンク制御情報を受信する場合、端末が送信したアップリンク制御情報を当該その他の基地局が受信する様子は第２基地局の場合と類似するため、ここでは重複な説明を省略する。
【０２４５】
方法３
もし第１基地局が第１キャリアにて第１ＰＵＳＣＨをスケジューリングしたなら、リソースを節約するために、当該第１基地局は、第１ＰＵＳＣＨにて当該端末が送信したアップリンク制御情報を受信し、さもないと、第１基地局は当該１つのアップリンクキャリアにて、第１ＰＵＣＣＨリソースを用いた第１ＰＵＣＣＨを介し当該アップリンク制御情報を受信し、アップリンク制御情報は第１アップリンク制御情報を含み、ただし第２アップリンク制御情報は含まない。
【０２４６】
説明すべきは、もし第２基地局が第２キャリアにて端末へデータを送信したなら、第２基地局が端末から送信したアップリンク制御情報を受信する方法は第１基地局と類似し、具体的には以下の通りである。
【０２４７】
もし第２基地局が第２キャリアにて第２ＰＵＳＣＨをスケジューリングしたなら、リソースを節約するために、当該第２基地局は、第２ＰＵＳＣＨにて当該端末が送信したアップリンク制御情報を受信し、さもないと、第２基地局は当該１つのアップリンクキャリアにて第２ＰＵＣＣＨリソースの第２ＰＵＣＣＨを用い当該アップリンク制御情報を受信し、アップリンク制御情報は第２アップリンク制御情報を含み、ただし第１アップリンク制御情報は含まない。
【０２４８】
上記方法３は同様に複数の基地局が当該端末へのデータのスケジューリングに適用され、第１基地局以外のその他の基地局が当該１つのアップリンクキャリアにおいて、異なるリソースのＰＵＣＣＨ又は当該基地局がスケジューリングしたＰＵＳＣＨにより当該端末が送信したアップリンク制御情報を受信する場合、当該その他の基地局が端末が送信したアップリンク制御情報を受信する様子は第２基地局の場合と類似するため、ここでは重複な説明を省略する。
【０２４９】
実施においては、方法２及び方法３に対し、端末が当該１つのアップリンクキャリアにおいてアップリンク制御情報の送信に用いるリソースの設定形態は、具体的には以下を含む。
【０２５０】
１．もしアップリンク制御情報にＡＣＫ／ＮＡＣＫフィードバック情報のみが含まれていれば、第１基地局が当該１つのアップリンクキャリアにおいてアップリンク制御情報を受信する前に、当該方法はさらに以下を含む。
【０２５１】
第１基地局は、高位層シグナリングを介し端末へ設定情報を送信し、第１ＰＵＣＣＨに用いられる第１ＰＵＣＣＨリソースを指示し、又は、第１基地局はＰＤＣＣＨ又はＥＰＤＣＣＨの中のＡＲＩにより、第１基地局が当該端末に予め設定した複数のＰＵＣＣＨリソース中の少なくとも１つのＰＵＣＣＨリソースを第１ＰＵＣＣＨに用いられるＰＵＣＣＨリソースとするよう端末に指示する。
【０２５２】
及び／又は、第１基地局は、高位層シグナリングを介し端末へ設定情報を送信し、第２ＰＵＣＣＨに用いられる第２ＰＵＣＣＨリソースを指示する。
【０２５３】
又は、第１基地局は、第２基地局が当該１つのアップリンクキャリアにおいて用いることのできるＰＵＣＣＨ資源を第２基地局に予め通知し、第２基地局に端末へ第２ＰＵＣＣＨリソースを設定するようにさせる。
【０２５４】
従って、第２基地局が当該端末へ第２ＰＵＣＣＨに用いられる第２ＰＵＣＣＨリソースを設定する方法は、第１基地局が当該端末へ第１ＰＵＣＣＨリソースを設定することと類似し、具体的には以下の通りである。
【０２５５】
第２基地局は、第１基地局から当該第２基地局に予め設定された、当該第２基地局が当該１つのアップリンクキャリアにおいて用いられるすべてのＰＵＣＣＨリソース中のいずれかのＰＵＣＣＨリソースを当該端末に設定して、第２ＰＵＣＣＨに用いられる第２ＰＵＣＣＨリソースとし、又は、
【０２５６】
第２基地局は、第１基地局から当該第２基地局に予め設定され、当該第２基地局が当該１つのアップリンクキャリアにおいて用いられるすべてのＰＵＣＣＨリソース中の複数のＰＵＣＣＨリソースを当該端末に予め設定し、さらにＰＤＣＣＨ又はＥＰＤＣＣＨ中のＡＲＩにより、第２基地局により当該端末に予め設定した複数のＰＵＣＣＨリソース中の少なくとも１つのＰＵＣＣＨリソースを第２ＰＵＣＣＨに用いられる第２ＰＵＣＣＨリソースとするように端末に指示する。
【０２５７】
さらに、ステップ５２において、第１基地局は当該１つのアップリンクキャリアにおいて、第１ＰＵＣＣＨリソースを用いた第１ＰＵＣＣＨにより、当該端末が送信したアップリンク制御情報を受信する。
【０２５８】
これに応じて、第２基地局は当該１つのアップリンクキャリアにおいて、第２ＰＵＣＣＨリソースを用いた第２ＰＵＣＣＨにより、当該端末が送信したアップリンク制御情報を受信する。
【０２５９】
説明すべきは、上記リソース設定手順において、ＰＵＣＣＨがシングルアンテナポートを採用して送信する場合、１つのＰＵＣＣＨリソースを設定し、ＰＵＣＣＨが実用ＳＯＲＴＤ技術のダブルアンテナポートを採用して送信する場合、２つのＰＵＣＣＨリソースを設定し、それぞれ異なるアンテナポートに対応する。
【０２６０】
さらに、上記ＡＲＩは具体的には以下の通りである。
【０２６１】
上記ＡＲＩは第１基地局及び第２基地局が送信したＥＰＤＣＣＨ中の固定ビットフィールドである。
【０２６２】
又は、第１基地局及び第２基地局が送信したＰＤＣＣＨ中の増加されたビットフィールドである。
【０２６３】
又は、第１基地局がＴＤＤシステムを用いる場合、第１基地局が送信したＰＣＣに対応するダウンリンク割当インデックスＤＡＩが１であるＰＤＣＣＨ以外のすべての多重化されたＰＤＣＣＨ中のＴＰＣフィールドである。
【０２６４】
具体的には、当該ＡＲＩが第１基地局が送信したＰＣＣに対応したＤＡＩが１であるＰＤＣＣＨ以外のすべてのＰＤＣＣＨ中の多重化されたＴＰＣフィールドである場合、ＰＤＣＣＨ中のＡＲＩは存在しない可能性がある。端末が第１基地局によりスケジューリングされたダウンリンクキャリアにおいてＡＲＩフィールドを有するＰＤＤＣＣＨ／ＥＰＤＣＣＨを受信されていない場合（例えば、直後に、第１基地局がスケジューリングしたＰＣＣに対応したＤＡＩが１であるＰＤＣＣＨを受信した場合）、受信されたＰＤＣＣＨの最小ＣＣＥ ｉｎｄｅｘに基づいて、暗黙的な方式のＰＵＣＣＨリソースを確定する。ＰＵＣＣＨリソースは、当該第１キャリアに対応するＡＣＫ／ＮＡＣＫフィードバック情報の送信に用いる。
【０２６５】
２．もしアップリンク制御情報中にＣＳＩフィードバック情報が含まれていれば、第１基地局が当該１つのアップリンクキャリアにおいてアップリンク制御情報を受信する前に、当該方法はさらに以下を含む。
【０２６６】
第１基地局は高位層シグナリングを介し端末へ設定情報を送信し、第１ＰＵＣＣＨに用いられる第１ＰＵＣＣＨリソースを指示する。
【０２６７】
及び／又は、第１基地局は高位層シグナリングを介し端末へ設定情報を送信し、第２ＰＵＣＣＨに用いられる第２ＰＵＣＣＨリソースを指示する。
【０２６８】
又は、第１基地局は第２基地局が当該１つのアップリンクキャリアにおいて用いられるすべてのＰＵＣＣＨ資源を第２基地局に予め通知し、第２基地局に端末が第２ＰＵＣＣＨリソースを設定するようにさせる。
【０２６９】
第２基地局が当該端末へ第２ＰＵＣＣＨに用いられる第２ＰＵＣＣＨリソースを設定する方法は、第１基地局が当該端末へ第１ＰＵＣＣＨリソースを設定することと似ていて、具体的には以下の通りである。
【０２７０】
第２基地局は、第１基地局から当該第２基地局に予め設定された、当該第２基地局が当該１つのアップリンクキャリアにおいて用いられるすべてのＰＵＣＣＨリソース中のいずれかのＰＵＣＣＨリソースを当該端末に設定して、第２ＰＵＣＣＨに用いられる第２ＰＵＣＣＨリソースとする。
【０２７１】
さらに、ステップ５２において、第１基地局は、当該１つのアップリンクキャリアにおいて、第１ＰＵＣＣＨリソースを用いた第１ＰＵＣＣＨにより、当該端末が送信したアップリンク制御情報を受信する。
【０２７２】
従って、第２基地局は当該１つのアップリンクキャリアにおいて、第２ＰＵＣＣＨリソースを用いた第２ＰＵＣＣＨにより、当該端末が送信したアップリンク制御情報を受信する。
【０２７３】
特筆すべきは、上記リソース設定手順において、ＰＵＣＣＨがシングルアンテナポートを採用して送信する場合には、１つのＰＵＣＣＨリソースを設定する。一方、ＰＵＣＣＨが実用ＳＯＲＴＤ技術のダブルアンテナポートを採用して送信する場合には、２つのＰＵＣＣＨリソースを設定し、それぞれ異なるアンテナポートに対応する。
【０２７４】
好ましくは、上記高位層シグナリングはＲＲＣシグナリング又はＭＡＣシグナリングであっても良い。
【０２７５】
３．もしアップリンク制御情報にＡＣＫ／ＮＡＣＫフィードバック情報が含まれ、ＣＳＩフィードバック情報も含まれていれば、第１基地局は上記の２つのリソース設定形ース設定形態中のいずれかの形態に従って、端末へ第１ＰＵＣＣＨリソース及び／又は第２ＰＵＣＣＨリソースを設定する。
【０２７６】
好ましくは、第１基地局はＡＣＫ／ＮＡＣＫのリソース設定形態に従って、端末へ第１ＰＵＣＣＨリソース及び／又は第２ＰＵＣＣＨ資源を設定する。
【０２７７】
技術の進化及びデータトラフィックの増加に伴い、ｓｍａｌｌ  ｃｅｌｌ（小セル）の概念が提起されなお注目が高まっている。ｓｍａｌｌ  ｃｅｌｌは通常より狭いカバー範囲及びより低い伝送電力を有し、ｓｍａｌｌ  ｃｅｌｌをユーザにより近い場所、例えば室内及びホットスポットに設置することにより、ユーザのデータレートを向上することができる。端末が同時にｓｍａｌｌ  ｃｅｌｌの基地局及びＭａｃｒｏ  ｃｅｌｌ（大セル）の基地局と接続が存在する場合、すなわちｓｍａｌｌ  ｃｅｌｌの基地局及びＭａｃｒｏ  ｃｅｌｌの基地局が同時に端末と接続する場合、典型的なデュアル接続シーンとなり、複数の基地局が同時に端末と接続する。端末は、ｓｍａｌｌ  ｃｅｌｌの基地局及びＭａｃｒｏ  ｃｅｌｌの基地局によりそれぞれ接続される異なるダウンリンクキャリアにおいて同時にダウンリンクトラフィックを受信することができ、なおこれらのダウンリンクトラフィックはそれぞれｓｍａｌｌ  ｃｅｌｌの基地局及びＭａｃｒｏ  ｃｅｌｌの基地局により独立にスケジューリングされる。
【０２７８】
以下は上記の典型的なデュアル接続シーンを例にとって、以下３つの具体的な実施例に取り込み、本発明の実施例に係るフィードバック情報の伝送方法に対し詳細な説明を行う。
【０２７９】
実施例１については、本実施例において、ＵＥはｍａｃｒｏ  ｃｅｌｌの基地局及びｓｍａｌｌ  ｃｅｌｌの基地局と同時に接続し、さらにアップリンクはアップリンクキャリア１のみにて動作し、ダウンリンクはそれぞれｍａｃｒｏ  ｃｅｌｌによりスケジューリングされるダウンリンクキャリア１，２及びｓｍａｌｌ  ｃｅｌｌによりスケジューリングされるダウンリンクキャリア３，４にて動作しても良く、図６に示す通りである。本実施例において、ＵＥ及び各基地局の具体的な動作形態は下記通りである。
【０２８０】
基地局側、ｍａｃｒｏ  ｃｅｌｌの基地局はダウンリンクキャリア１，２にてＵＥへダウンリンクデータをスケジューリングし、ｓｍａｌｌ  ｃｅｌｌの基地局はダウンリンクキャリア３、４にてＵＥへダウンリンクデータをスケジューリングする。
【０２８１】
ＵＥ側において、それぞれダウンリンクキャリア１〜４にてダウンリンクデータを受信し、さらに各ダウンリンクキャリアに対応するＡＣＫ／ＮＡＣＫフィードバック情報を生成し、アップリンクキャリア１にて１つのＰＵＣＣＨによりダウンリンクキャリア１〜４に対応するＡＣＫ／ＮＡＣＫフィードバック情報を同時に送信する。
【０２８２】
ここで、当該ＰＵＣＣＨに用いられるリソースはｍａｃｒｏ  ｃｅｌｌの基地局及びｓｍａｌｌ  ｃｅｌｌの基地局がすでに知っている１つのリソースであり、具体的にはｍａｃｒｏ  ｃｅｌｌの基地局によりＵＥに予め設定し、さらに基地局の間の通信によりｓｍａｌｌ  ｃｅｌｌの基地局に予め通知する。
【０２８３】
基地局側において、ｍａｃｒｏ  ｃｅｌｌの基地局及びｓｍａｌｌ  ｃｅｌｌの基地局はアップリンクキャリア１にて上記１つのＰＵＣＣＨリソースによりＡＣＫ／ＮＡＣＫフィードバック情報を受信し、さらに予め定義されたカスケード形態に基づき当該ＰＵＣＣＨより搬送されたＡＣＫ／ＮＡＣＫフィードバック情報から各自に対応するＡＣＫ／ＮＡＣＫフィードバック情報を取得する。
【０２８４】
実施例２については、本発明実施例において、ＵＥはｍａｃｒｏ  ｃｅｌｌの基地局及びｓｍａｌｌ  ｃｅｌｌの基地局と同時に接続し、さらにアップリンクはアップリンクキャリア１のみにて動作し、ダウンリンクはそれぞれｍａｃｒｏ  ｃｅｌｌによりスケジューリングされるダウンリンクキャリア１及びｓｍａｌｌ  ｃｅｌｌによりスケジューリングされるダウンリンクキャリア２にて動作しても良く、図７に示す通りである。本実施例において、ＵＥ及び各基地局の具体的な動作形態は下記通りである。
【０２８５】
基地局側において、ｍａｃｒｏ  ｃｅｌｌの基地局はダウンリンクキャリア１にてＵＥへダウンリンクデータをスケジューリングし、ｓｍａｌｌ  ｃｅｌｌの基地局はダウンリンクキャリア２にてＵＥへダウンリンクデータをスケジューリングする。
【０２８６】
ＵＥ側において、それぞれダウンリンクキャリア１及び２にてダウンリンクデータを受信し、さらに各ダウンリンクキャリアに対応するＡＣＫ／ＮＡＣＫフィードバック情報を生成し、アップリンクキャリア１にて１つのＰＵＣＣＨ−１（すなわち第１ＰＵＣＣＨ）によりダウンリンクキャリア１に対応するＡＣＫ／ＮＡＣＫフィードバック情報を送信し、ＰＵＣＣＨ―２（すなわち第２ＰＵＣＣＨ）によりダウンリンクキャリア２に対応するＡＣＫ／ＮＡＣＫフィードバック情報を送信する。
【０２８７】
ここで、ＰＵＣＣＨ−１に用いられるリソースは、ｍａｃｒｏ  ｃｅｌｌの基地局がすでに知っている１つのリソースであり、具体的にはｍａｃｒｏ  ｃｅｌｌの基地局によりＵＥに予め設定され、例えば、ｍａｃｒｏ基地局が高位層シグナリングを介しＵＥに１つの固定リソースを予め設定し、又は、ｍａｃｒｏ基地局が高位層シグナリングを介しＵＥに複数のリソースを予め設定し、さらにｍａｃｒｏ  ｃｅｌｌの基地局が送信したＰＤＣＣＨ／ＥＰＤＣＣＨ中のＡＲＩフィールドにより、ＵＥに用いられる複数のリソース中のどれらのリソースを当該ＰＵＣＣＨ−１に用いられるリソースとするかを指示する。ＰＵＣＣＨ−２に用いられるリソースはｓｍａｌｌ  ｃｅｌｌの基地局がすでに知っている１つのリソースであり、具体的にはｍａｃｒｏ  ｃｅｌｌの基地局によりまず情報交換により当該アップリンクキャリアにおいてｓｍａｌｌ  ｃｅｌｌのために保留されたＰＵＣＣＨリソースプールをｓｍａｌｌ  ｃｅｌｌの基地局に予め通知し、それから、ｓｍａｌｌ  ｃｅｌｌの基地局がそれに対応する当該アップリンクキャリアにおいて保留されたＰＵＣＣＨリソースプール中のリソースを当該ＵＥに割り当て、ｓｍａｌｌ  ｃｅｌｌの基地局が当該アップリンクキャリアにおいて保留されたリソースプール中のリソースを当該ＵＥに割り当てる具体的な方法はｍａｃｒｏ  ｃｅｌｌと同じで良い。
【０２８８】
基地局側において、ｍａｃｒｏ  ｃｅｌｌの基地局及びｓｍａｌｌ  ｃｅｌｌの基地局はアップリンクキャリア１にて各自に対応するＰＵＣＣＨリソースにより各自のＡＣＫ／ＮＡＣＫフィードバック情報を受信する。
【０２８９】
実施例３については、本実施例において、ＵＥはｍａｃｒｏ  ｃｅｌｌの基地局及びｓｍａｌｌ  ｃｅｌｌの基地局と同時に接続し、さらにアップリンクはｍａｃｒｏ  ｃｅｌｌの下のアップリンクキャリア１のみにて動作し、ダウンリンクにおいて、それぞれｍａｃｒｏ  ｃｅｌｌによりスケジューリングされるダウンリンクキャリア１、２及びｓｍａｌｌ  ｃｅｌｌによりスケジューリングされるダウンリンクキャリア３，４にて動作しても良く、図８に示す通りである。本実施例において、ＵＥ及び各基地局の具体的な動作形態は下記通りである。
【０２９０】
基地局側において、ｍａｃｒｏ  ｃｅｌｌの基地局はダウンリンクキャリア１及びダウンリンクキャリア２にてＵＥへダウンリンクデータをスケジューリングし、ｓｍａｌｌ  ｃｅｌｌの基地局はダウンリンクキャリア３及びダウンリンクキャリア４にてＵＥへダウンリンクデータをスケジューリングし、かつｍａｃｒｏ  ｃｅｌｌの基地局はアップリンクキャリア１にてＰＵＳＣＨ送信をスケジューリングした。
【０２９１】
ＵＥ側において、それぞれダウンリンクキャリア１〜４にてダウンリンクデータを受信し、さらに対応のＡＣＫ／ＮＡＣＫフィードバック情報を生成し、アップリンクキャリア１にてＰＵＳＣＨによりダウンリンクキャリア１及び２に対応するＡＣＫ／ＮＡＣＫフィードバック情報を送信し、ＰＵＣＣＨ−２によりダウンリンクキャリア３，４に対応するＡＣＫ／ＮＡＣＫフィードバック情報を送信する。
【０２９２】
ＰＵＣＣＨ−２に用いられるリソースは、ｓｍａｌｌ  ｃｅｌｌの基地局がすでに知っている１つのリソースであり、具体的にはｍａｃｒｏ  ｃｅｌｌの基地局により、まず基地局の間の通信にて、当該アップリンクキャリアにおいてｓｍａｌｌ  ｃｅｌｌのために保留されたＰＵＣＣＨリソースプールをｓｍａｌｌ  ｃｅｌｌの基地局に予め通知し、それから、ｓｍａｌｌ  ｃｅｌｌの基地局がそれに対応する当該アップリンクキャリアにおいて保留されたＰＵＣＣＨリソースプール中のリソースを当該ＵＥに割り当てる。ｓｍａｌｌ  ｃｅｌｌの基地局が当該アップリンクキャリアにおいて保留されたＰＵＣＣＨリソースプール中のリソースをＵＥに割り当てる具体的な方法はｍａｃｒｏ  ｃｅｌｌと同じで良い。
【０２９３】
基地局側において、ｍａｃｒｏ  ｃｅｌｌの基地局は、アップリンクキャリア１にてＰＵＳＣＨによりダウンリンクキャリア１及びダウンリンクキャリア２に対応するＡＣＫ／ＮＡＣＫフィードバック情報を受信する。ｓｍａｌｌ  ｃｅｌｌの基地局は、アップリンクキャリア１にてＰＵＣＣＨ−２によりダウンリンクキャリア３及びダウンリンクキャリア４に対応するＡＣＫ／ＮＡＣＫフィードバック情報を受信する。
【０２９４】
特筆すべきは、以上３つの具体的な実施例はいずれもアップリンク制御情報がＡＣＫ／ＮＡＣＫ制御情報をである例に対し説明を行い、上記実施例中のＡＣＫ／ＮＡＣＫをＣＳＩに置き換えても同様に成立し、又は上記実施例中のＡＣＫ／ＮＡＣＫをＡＣＫ／ＮＡＣＫ+ＣＳＩに置き換えても同様に成立する。
【０２９５】
上記方法の処理フローはソフトウェアのプログラムにより実現しても良く、当該ソフトウェアを記憶媒体に保存しても良く、保存されたソフトウェアが呼び出された場合、上記方法のステップを実行する。
【０２９６】
同じ発明構想に基づき、本発明の実施例はさらに端末を提供し、当該端末の問題解決の原理が上記フィードバック情報の伝送方法に似ているため、当該端末の実施に関しては方法の実施を参照すれば良く、重複したところは説明を省略する。
【０２９７】
図９に示しているのは、本発明の実施例が提供する端末であり、当該端末は、デュアル接続シーンに用いられ、当該端末は、受信モジュール９１と、処理モジュール９２と、送信モジュール９３とを含む。
【０２９８】
受信モジュール９１は、第１キャリアにおいてデータを受信し、かつ第２キャリアにおいてデータを受信する。第１キャリアにおけるデータは、第１基地局によりスケジューリングされ、第２キャリアにおけるデータは、第２基地局によりスケジューリングされる。
【０２９９】
処理モジュール９２は、第１キャリアに対し第１アップリンク制御情報を生成し、及び／又は、第２キャリアに対し第２アップリンク制御情報を生成する。
【０３００】
送信モジュール９３は、１つのアップリンクキャリアにおいて、ＰＵＣＣＨ及び／又はＰＵＳＣＨにより、送信モジュール９２が生成したアップリンク制御情報を送信し、当該アップリンク制御情報は、第１アップリンク制御情報及び第２アップリンク制御情報中の少なくとも１つの情報を含む。
【０３０１】
本発明の実施例では、アップリンク制御情報を送信する際用いる１つのアップリンクキャリアは具体的には以下の通りである。
【０３０２】
即ち、当該１つのアップリンクキャリアは、ネットワーク側が当該端末のだけのために設定したアップリンクデータ送信用のアップリンクキャリアであり、又は、ネットワーク側から当該端末のために設定したアップリンクデータを送信するための複数のアップリンクキャリアの中から、予め指定又は予め設定された１つのアップリンクキャリアであり、又は、当該端末のアップリンクプライマリーキャリアである。
【０３０３】
実施において、処理モジュール９２は具体的に以下のように用いられる。
【０３０４】
方法１．送信モジュール９３をトリガーして当該１つのアップリンクキャリアにおいて、同じＰＵＣＣＨ又はＰＵＳＣＨにより第１アップリンク制御情報及び第２アップリンク制御情報を同時に送信する。又は、
【０３０５】
又は、方法２、送信モジュール９３をトリガーして当該１つのアップリンクキャリアにおいて、第１ＰＵＣＣＨリソースを用いた第１ＰＵＣＣＨにより第１アップリンク制御情報を送信し、及び／又は当該１つのアップリンクキャリアにおいて、第２ＰＵＣＣＨリソースを用いた第２ＰＵＣＣＨにより第２アップリンク制御情報を送信する。
【０３０６】
又は、方法３、もし当該１つのアップリンクキャリアにおいて第１基地局によりスケジューリングされる第１ＰＵＳＣＨが存在すれば、送信モジュール９３をトリガーして当該１つのアップリンクキャリアにおいて、第１ＰＵＳＣＨにより第１アップリンク制御情報を送信する。さもないと、送信モジュール９３をトリガーして当該１つのアップリンクキャリアにおいて、第１ＰＵＣＣＨリソースを用いた第１ＰＵＣＣＨにより第１アップリンク制御情報を送信し、及び／又は、もし当該１つのアップリンクキャリアにおいて第２基地局によりスケジューリングされる第２ＰＵＳＣＨが存在すれば、送信モジュール９３をトリガーして当該１つのアップリンクキャリアにおいて、第２ＰＵＳＣＨにより第２アップリンク制御情報を送信し、さもないと、送信モジュール９３をトリガーして当該１つのアップリンクキャリアにおいて、第２ＰＵＣＣＨリソースを用いた第２ＰＵＣＣＨにより第２アップリンク制御情報を送信する。
【０３０７】
ここで、第１ＰＵＣＣＨリソースと第２ＰＵＣＣＨリソースとは異なる。
【０３０８】
方法１に対し、処理モジュール９２は具体的に以下のように用いられる。
【０３０９】
設定のカスケード形態を採用し、第１アップリンク制御情報及び第２アップリンク制御情報をカスケード処理し、なお当該１つのアップリンクキャリアの同じＰＵＣＣＨ又はＰＵＳＣＨにおいてカスケード処理済みのアップリンク制御情報を送信する。
【０３１０】
方法１に対し、もしアップリンク制御情報に肯定応答（ＡＣＫ）／否定応答（ＮＡＣＫ）フィードバック情報が含まれていれば、処理モジュール９２は具体的に以下のように用いられる。
【０３１１】
第１キャリアにおいてデータを受信したダウンリンクサブフレームに対しＡＣＫ／ＮＡＣＫを生成し、第１キャリアにおいてデータを受信していないダウンリンクサブフレームに対しＮＡＣＫ／不連続送信（ＤＴＸ）を生成することにより、第１キャリアに対応するＡＣＫ／ＮＡＣＫフィードバック情報が構成される。ここで、もし第１キャリアにていかなるデータも受信していなければ、ＮＡＣＫ／ＤＴＸを当該第１キャリアに対応するＡＣＫ／ＮＡＣＫフィードバック情報とする。
【０３１２】
第２キャリアにおいてデータを受信したダウンリンクサブフレームに対しＡＣＫ／ＮＡＣＫを生成し、第２キャリアにおいてデータを受信していないダウンリンクサブフレームに対しＮＡＣＫ／ＤＴＸを生成することにより、第２キャリアに対応するＡＣＫ／ＮＡＣＫフィードバック情報が構成される。ここで、もし第２キャリアにていかなるデータも受信していなければ、ＮＡＣＫ／ＤＴＸを第２キャリアに対応するＡＣＫ／ＮＡＣＫフィードバック情報とする。
【０３１３】
さらに、方法１に対し、処理モジュール９２は、受信された、第１基地局が高位層シグナリングを介し送信した設定情報に基づき、アップリンク制御情報の送信に用いるＰＵＣＣＨリソースを確定する。
【０３１４】
方法２及び方法３に対し、もしアップリンク制御情報にＡＣＫ／ＮＡＣＫフィードバック情報が含まれていれば、処理モジュール９２は、第１キャリアにおいてデータを受信したダウンリンクサブフレームに対しＡＣＫ／ＮＡＣＫを生成し、第１キャリアにおいてデータを受信していないダウンリンクサブフレームに対しＮＡＣＫ／不連続送信（ＤＴＸ）を生成することにより、第１キャリアに対応するＡＣＫ／ＮＡＣＫフィードバック情報が構成され、ここで、もし第１キャリアにていかなるデータも受信していなければ、第１キャリアに対応するＡＣＫ／ＮＡＣＫフィードバック情報は生成しない。
【０３１５】
また、処理モジュール９２は、第２キャリアにおいてデータを受信したダウンリンクサブフレームに対しＡＣＫ／ＮＡＣＫを生成し、第２キャリアにおいてデータを受信していないダウンリンクサブフレームに対しＮＡＣＫ／ＤＴＸを生成することにより、第２キャリアに対応するＡＣＫ／ＮＡＣＫフィードバック情報が構成される。ここで、もし第２キャリアにていかなるデータも受信していなければ、第２キャリアに対応するＡＣＫ／ＮＡＣＫフィードバック情報は生成しない。
【０３１６】
方法２及び方法３に対し、もしアップリンク制御情報にＡＣＫ／ＮＡＣＫフィードバック情報が含まれていれば、処理モジュール９２はさらに以下のように用いられる。
【０３１７】
処理モジュール９２は、受信された、第１基地局が高位層シグナリングを介し送信した設定情報に基づき、第１ＰＵＣＣＨに用いられる第１ＰＵＣＣＨリソースを確定し、又は、受信された第１基地局が送信したＰＤＣＣＨ又はＥＰＤＣＣＨ中のＡＲＩに基づき、第１基地局が当該端末に予め設定した複数のＰＵＣＣＨリソース中の少なくとも１つのＰＵＣＣＨリソースを第１ＰＵＣＣＨリソースにする。
【０３１８】
及び／又は、処理モジュール９２は、受信された、第１基地局が送信した設定情報に基づき、第２ＰＵＣＣＨに用いられる第２ＰＵＣＣＨリソースを確定し、又は、受信された第２基地局が送信した設定情報に基づき、第２ＰＵＣＣＨに用いられる第２ＰＵＣＣＨリソースを確定し、又は、受信された第２基地局が送信したＰＤＣＣＨ又はＥＰＤＣＣＨ中のＡＲＩに基づき、第２ＰＵＣＣＨに用いられる第２ＰＵＣＣＨリソースを確定する。ここで、第２ＰＵＣＣＨリソースは第１基地局が第２基地局に予め通知した第２基地局が用いられるすべてのＰＵＣＣＨリソース中の少なくとも１つのＰＵＣＣＨリソースである。
【０３１９】
さらに、方法２及び方法３に対し、もしアップリンク制御情報にＣＳＩフィードバック情報が含まれていれば、処理モジュール９２は、受信された第１基地局が高位層シグナリングを介し送信した設定情報に基づき、第１ＰＵＣＣＨに用いられる第１ＰＵＣＣＨリソースを確定する。
【０３２０】
及び／又は、処理モジュール９２は、受信された、第１基地局がハイヤレイヤ高位層シグナリングを介し送信した設定情報に基づき、第２ＰＵＣＣＨに用いられる第２ＰＵＣＣＨリソースを確定し、又は、受信された第２基地局が送信した設定情報に基づき、第２ＰＵＣＣＨに用いられる第２ＰＵＣＣＨリソースを確定する。ここで、第２ＰＵＣＣＨリソースは第１基地局が第２基地局に予め通知した第２基地局が用いられるすべてのＰＵＣＣＨリソース中の少なくとも１つのＰＵＣＣＨリソースである。
【０３２１】
同じ発明構想に基づき、本発明の実施例はさらに基地局を提供し、当該基地局の問題解決の原理が上記フィードバック情報の受信方法に似ているため、当該基地局の実施に関しては方法の実施を参照すれば良く、重複したところは説明を省略する。
【０３２２】
図１０に示しているのは、本発明の実施例が提供する基地局であり、当該基地局はデュアル接続シーンに用いられ、データ送信モジュール１０１と、処理モジュール１０２とを含む。
【０３２３】
前記データ送信モジュール１０１は、第１キャリアにおいて端末にデータを送信する。ここで、端末には、少なくとも第１キャリア及び第２キャリアが設定され、第１キャリアのデータは本基地局によりスケジューリングされ、第２キャリアのデータは第２基地局によりスケジューリングされる。
【０３２４】
前記処理モジュール１０２は、１つのアップリンクキャリアにおいて、ＰＵＣＣＨ又はＰＵＳＣＨにより端末が送信したアップリンク制御情報を受信する。当該１つのアップリンクキャリアは、端末へデータをスケジューリングする各基地局に対応するアップリンク制御情報を送信するために用いられる。
【０３２５】
本発明の実施例において、端末が送信したアップリンク制御情報を受信する１つのアップリンクキャリアは、ネットワーク側が当該端末だけのために設定されたアップリンクデータを送信するための１つのアップリンクキャリアであり、又は、ネットワーク側から当該端末のために設定されたアップリンクデータを送信するための複数のアップリンクキャリア中の、予め指定又は予め設定された１つのアップリンクキャリアであり、又は、当該端末のアップリンクプライマリーキャリアである。
【０３２６】
実施において、処理モジュール１０２は具体的に以下のように用いられる。
【０３２７】
方法１、当該１つのアップリンクキャリアにおいて、１つのＰＵＣＣＨ又はＰＵＳＣＨによりアップリンク制御情報を受信し、アップリンク制御情報は第１アップリンク制御情報及び第２アップリンク制御情報を含る。又は、
【０３２８】
又は、方法２、当該１つのアップリンクキャリアにおいて、第１ＰＵＣＣＨリソースを用いた第１ＰＵＣＣＨによりアップリンク制御情報を受信し、アップリンク制御情報は第１アップリンク制御情報を含み、ただし第２アップリンク制御情報は含まない。
【０３２９】
又は、方法３、もし第１キャリアにおいて第１ＰＵＳＣＨをスケジューリングしたならば、当該１つのアップリンクキャリアにおいて、第１ＰＵＳＣＨによりアップリンク制御情報を受信し、さもないと、当該１つのアップリンクキャリアにおいて、第１ＰＵＣＣＨリソースを用いた第１ＰＵＣＣＨによりアップリンク制御情報を受信し、アップリンク制御情報は第１アップリンク制御情報を含み、ただし第２アップリンク制御情報は含まない。
【０３３０】
方法１に対し、処理モジュール１０２は当該１つのアップリンクキャリアにおいてアップリンク制御情報を受信した後に、設定のカスケード形態に基づき、アップリンク制御情報から第１アップリンク制御情報を取得する。
【０３３１】
方法１に対し、処理モジュール１０２は、当該１つのアップリンクキャリアにおいてアップインク制御情報を受信する前に、高位層シグナリングを介し端末へ設定情報を送信し、アップリンク制御情報の送信に用いる少なくとも１つのＰＵＣＣＨリソースを当該端末に指示する。
【０３３２】
さらに、方法１について、データ送信モジュール１０１は、端末に設定したＰＵＣＣＨリソースを第２基地局に通知する。
【０３３３】
さらに、方法２及び方法３に対し、アップリンク制御情報にＡＣＫ／ＮＡＣＫフィードバック情報が含まれていれば、処理モジュール１０２は、高位層シグナリングを介し端末へ設定情報を送信し、第１ＰＵＣＣＨリソースを指示し、又は、ＰＤＣＣＨ又はＥＰＤＣＣＨ中のＡＲＩにより端末へ予め設定した複数のＰＵＣＣＨリソース中の少なくとも１つのＰＵＣＣＨリソースを第１ＰＵＣＣＨリソースにするよう端末に指示する。
【０３３４】
及び／又は、高位層シグナリングを介し端末へ設定情報を送信し、第２ＰＵＣＣＨリソースを指示し、又は、第２基地局が当該１つのアップリンクキャリアにおいて用いられるすべてのＰＵＣＣＨリソースを第２基地局に予め通知し、第２基地局が端末のために第２ＰＵＣＣＨリソースを設定するようにさせる。
【０３３５】
さらに、方法２及び方法３に対し、もしアップリンク制御情報にＣＳＩフィードバック情報が含まれていれば、処理モジュール１０２は、高位層シグナリングを介し端末へ設定情報を送信し、第１ＰＵＣＣＨリソースを指示する。
【０３３６】
及び／又は、高位層シグナリングを介し端末へ設定情報を送信し、第２ＰＵＣＣＨリソースを指示し、又は、第２基地局が当該１つのアップリンクキャリアにおいて用いられるすべてのＰＵＣＣＨリソースを第２基地局に予め通知し、第２基地局が端末のために第２ＰＵＣＣＨリソースを設定するようにさせる。
【０３３７】
以下、具体的にハードウェア構成を参照し、本発明の実施例に係る端末の構造、処理形態に対し説明する。
【０３３８】
図９の実施例において、端末は、送受信機、及び送受信機に接続される少なくとも１つのプロセッサを含む。
【０３３９】
前記送受信機は、第１キャリアにおけるデータの受信及び第２キャリアにおけるデータの受信のために設定され、第１キャリアのデータは第１基地局によりスケジューリングされ、第２キャリアのデータは第２基地局によりスケジューリングされる。
【０３４０】
前記プロセッサは、第１キャリアに対した第１アップリンク制御情報の生成、及び／又は、第２キャリアに対した第２アップリンク制御情報の生成のために設定され、さらに当該送受信機をトリガーして１つのアップリンクキャリアにおいて、ＰＵＣＣＨ及び／又はＰＵＳＣＨにより、当該プロセッサにより生成されたアップリンク制御情報を送信し、当該アップリンク制御情報は第１アップリンク制御情報及び第２アップリンク制御情報中の少なくとも１つの情報を含む。
【０３４１】
実施において、プロセッサは具体的には以下のように用いられるために設定される。
【０３４２】
方法１：プロセッサは、送受信機をトリガーして当該１つのアップリンクキャリアにおいて、同じＰＵＣＣＨ又はＰＵＳＣＨにより第１アップリンク制御情報及び第２アップリンク制御情報を同時に送信する。
【０３４３】
又は、方法２：プロセッサは、送受信機をトリガーして当該１つのアップリンクキャリアにおいて、第１ＰＵＣＣＨ資源を用いた第１ＰＵＣＣＨにより第１アップリンク制御情報を送信し、及び／又は当該１つのアップリンクキャリアにおいて、第２ＰＵＣＣＨリソースを用いた第２ＰＵＣＣＨにより第２アップリンク制御情報を送信する。
【０３４４】
又は、方法３：プロセッサは、もし第１キャリアにおいて第１基地局によりスケジューリングされた第１ＰＵＳＣＨが存在すれば、送受信機をトリガーして当該１つのアップリンクキャリアにおいて、第１ＰＵＳＣＨにより第１アップリンク制御情報を送信し、さもないと、送受信機をトリガーして当該１つのアップリンクキャリアにおいて、第１ＰＵＣＣＨリソースを用いた第１ＰＵＣＣＨにより第１アップリンク制御情報を送信し、及び／又は、もし当該１つのアップリンクキャリアにおいて第２基地局によりスケジューリングされた第２ＰＵＳＣＨが存在すれば、送受信機をトリガーして当該１つのアップリンクキャリアにおいて、第２ＰＵＳＣＨにより第２アップリンク制御情報を送信し、さもないと、送受信機をトリガーして当該１つのアップリンクキャリアにおいて、第２ＰＵＣＣＨリソースを用いた第２ＰＵＣＣＨにより第２アップリンク制御情報を送信する。
【０３４５】
ここで、第１ＰＵＣＣＨリソースと第２ＰＵＣＣＨリソースとは異なる。
【０３４６】
方法１に対し、プロセッサは具体的には以下の通りに用いられるために設定される。
【０３４７】
設定のカスケード形態を採用し、第１アップリンク制御情報及び第２アップリンク制御情報をカスケード処理し、なお当該１つのアップリンクキャリアの同じＰＵＣＣＨ又はＰＵＳＣＨにおいてカスケード処理済みのアップリンク制御情報を送信する。
【０３４８】
方法１に対し、もしアップリンク制御情報に肯定応答（ＡＣＫ）／否定応答（ＮＡＣＫ）フィードバック情報が含まれていれば、プロセッサは具体的には以下の通りに用いられるために設定される。
【０３４９】
第１キャリアにおいてデータを受信したダウンリンクサブフレームに対しＡＣＫ／ＮＡＣＫを生成し、第１キャリアにおいてデータを受信していないダウンリンクサブフレームに対しＮＡＣＫ／不連続送信（ＤＴＸ）を生成することにより、第１キャリアに対応するＡＣＫ／ＮＡＣＫフィードバック情報が構成され、ここで、もし第１キャリアにていかなるデータも受信していなければ、ＮＡＣＫ／ＤＴＸを第１キャリアに対応するＡＣＫ／ＮＡＣＫフィードバック情報にする。
【０３５０】
第２キャリアにおいてデータを受信したダウンリンクサブフレームに対しＡＣＫ／ＮＡＣＫを生成し、第２キャリアにおいてデータを受信していないダウンリンクサブフレームに対しＮＡＣＫ／ＤＴＸを生成することにより、第２キャリアに対応するＡＣＫ／ＮＡＣＫフィードバック情報が構成される。ここで、もし第２キャリアにていかなるデータも受信していなければ、ＮＡＣＫ／ＤＴＸを当該第２キャリアに対応するＡＣＫ／ＮＡＣＫフィードバック情報にする。
【０３５１】
方法１に対し、プロセッサは、さらに送受信機が受信した第１基地局が高位層シグナリングを介し送信した設定情報に基づき、アップリンク制御情報の送信に用いるＰＵＣＣＨリソースを確定するために設定される。
【０３５２】
方法２及び方法３に対し、もしアップリンク制御情報にＡＣＫ／ＮＡＣＫフィードバック情報が含まれていれば、プロセッサは、第１キャリアにおいてデータを受信したダウンリンクサブフレームに対しＡＣＫ／ＮＡＣＫを生成し、第１キャリアにおいてデータを受信していないダウンリンクサブフレームに対しＮＡＣＫ／不連続送信（ＤＴＸ）を生成することにより、当該第１キャリアに対応するＡＣＫ／ＮＡＣＫフィードバック情報が構成される。ここで、もし第１キャリアにていかなるデータも受信していなければ、第１キャリアに対応するＡＣＫ／ＮＡＣＫフィードバック情報は生成しない。
【０３５３】
プロセッサは、第２キャリアにおいてデータを受信したダウンリンクサブフレームに対しＡＣＫ／ＮＡＣＫを生成し、第２キャリアにおいてデータを受信していないダウンリンクサブフレームに対しＮＡＣＫ／ＤＴＸを生成することにより、第２キャリアに対応するＡＣＫ／ＮＡＣＫフィードバック情報が構成される。ここで、もし第２キャリアにていかなるデータも受信していなければ、第２キャリアに対応するＡＣＫ／ＮＡＣＫフィードバック情報は生成しない。
【０３５４】
方法２及び方法３に対し、もしアップリンク制御情報にＡＣＫ／ＮＡＣＫフィードバク情報が含まれていれば、プロセッサは、送受信機が受信した第１基地局が高位層シグナリングを介し送信した設定情報に基づき、第１ＰＵＣＣＨリソースを確定し、又は、送受信機が受信した第１基地局が送信したＰＤＣＣＨ又はＥＰＤＣＣＨ中のＡＲＩに基づき、第１基地局が当該端末に予め設定した複数のＰＵＣＣＨリソース中の少なくとも１つのＰＵＣＣＨリソースを第１ＰＵＣＣＨリソースにする。
【０３５５】
及び／又は、送受信機が受信した第１基地局が送信した設定情報に基づき、第２ＰＵＣＣＨに用いられる第２ＰＵＣＣＨリソースを確定し、又は、送受信機が受信した第２基地局が送信した設定情報に基づき、第２ＰＵＣＣＨに用いられる第２ＰＵＣＣＨリソースを確定し、又は、送受信機が受信した第２基地局が送信したＰＤＣＣＨ又はＥＰＤＣＣＨ中のＡＲＩに基づき、第２ＰＵＣＣＨに用いられる第２ＰＵＣＣＨリソースを確定し、ここで、第２ＰＵＣＣＨリソースは第１基地局が第２基地局に予め通知した第２基地局が用いられるすべてのＰＵＣＣＨリソース中の少なくとも１つのＰＵＣＣＨリソースである。
【０３５６】
さらに、方法２及び方法３に対し、もしアップリンク制御情報にＣＳＩフィードバック情報が含まれていれば、プロセッサは、送受信機が受信した第１基地局が高位層シグナリングを介し送信した設定情報に基づき、第１ＰＵＣＣＨに用いられる第１ＰＵＣＣＨリソースを確定する。
【０３５７】
及び／又は、プロセッサは、送受信機が受信した第１基地局が高位層シグナリングを介し送信した設定情報に基づき、第２ＰＵＣＣＨに用いられる第２ＰＵＣＣＨリソースを確定し、又は、送受信機が受信した第２基地局が送信した設定情報に基づき、第２ＰＵＣＣＨに用いられる第２ＰＵＣＣＨリソースを確定し、ここで、第２ＰＵＣＣＨリソースは第１基地局が第２基地局に予め通知した第２基地局が用いられるすべてのＰＵＣＣＨリソース中の少なくとも１つのＰＵＣＣＨリソースである。
【０３５８】
以下、具体的なハードウェア構成を参照し、本発明の実施例に係る基地局の構成、処理形態について説明する。
【０３５９】
図１０の実施例において、基地局は送受信機、及び当該送受信機に接続された少なくとも１つのプロセッサを含む。
【０３６０】
前記送受信機は第１キャリアにおいて端末にデータを送信するために設定され、ここで、端末には少なくとも第１キャリア及び第２キャリアを設定され、第１キャリアのデータは本基地局によりスケジューリングされ、第２キャリアのデータは第２基地局によりスケジューリングされる。
【０３６１】
前記プロセッサは送受信機をトリガーして１つのアップリンクキャリアにおいて、ＰＵＣＣＨ又はＰＵＳＣＨにより端末が送信したアップリンク制御情報を受信し、当該１つのアップリンクキャリアは端末へデータをスケジューリングする各基地局に対応するアップリンク制御情報を送信するために用いられる。
【０３６２】
実施において、プロセッサは具体的には以下の通りに用いられるために設定される。
【０３６３】
方法１：プロセッサは、送受信機をトリガーして当該１つのアップリンクキャリアにおいて、１つのＰＵＣＣＨ又はＰＵＳＣＨによりアップリンク制御情報を受信し、アップリンク制御情報は第１アップリンク制御情報及び第２アップリンク制御情報を含み、又は、
【０３６４】
方法２：プロセッサは、送受信機をトリガーして当該１つのアップリンクキャリアにおいて、第１ＰＵＣＣＨ資源を用いた第１ＰＵＣＣＨによりアップリンク制御情報を受信し、アップリンク制御情報は第１アップリンク制御情報を含み、ただし第２アップリンク制御情報を含まない。又は、
【０３６５】
方法３：プロセッサは、もし第１キャリアにおいて第１ＰＵＳＣＨをスケジューリングしたならば、送受信機をトリガーして当該１つのアップリンクキャリアにおいて、第１ＰＵＳＣＨによりアップリンク制御情報を受信し、さもないと、送受信機をトリガーして当該１つのアップリンクキャリアにおいて、第１ＰＵＣＣＨリソースを用いる第１ＰＵＣＣＨによりアップリンク制御情報を受信し、アップリンク制御情報は第１アップリンク制御情報を含み、かつ第２アップリンク制御情報は含まない。
【０３６６】
方法１に対し、プロセッサは当該１つのアップリンクキャリアにおいてアップリンク制御情報を受信した後に、さらに設定のカスケード形態に基づきアップリンク制御情報から第１アップリンク制御情報を取得する。
【０３６７】
方法１に対し、プロセッサは、当該１つのアップリンクキャリアにおいてアップリンク制御情報を受信する前に、さらに送受信機をトリガーして高位層シグナリングを介し端末へ設定情報を送信し、端末のアップリンク制御情報の送信に用いられる少なくとも１つのＰＵＣＣＨリソースを指示する。
【０３６８】
方法１に対し、送受信機はさらに端末に設定したＰＵＣＣＨリソースを第２基地局に通知する。
【０３６９】
さらに、方法２及び方法３に対し、もしアップリンク制御情報にＡＣＫ／ＮＡＣＫフィードバック情報が含まれていれば、プロセッサは、送受信機をトリガーして高位層シグナリングを介し端末へ設定情報を送信し、第１ＰＵＣＣＨリソースを指示し、又は、ＰＤＣＣＨ又はＥＰＤＣＣＨ中のＡＲＩにより端末へ予め設定した複数のＰＵＣＣＨリソース中の少なくとも１つのＰＵＣＣＨリソースを第１ＰＵＣＣＨリソースにするように端末に指示する。
【０３７０】
及び／又は、プロセッサは、送受信機をトリガーして高位層シグナリングを介し端末へ設定情報を送信し、第２ＰＵＣＣＨリソースを指示し、又は、第２基地局が当該１つのアップリンクキャリアにおいて用いられるすべてのＰＵＣＣＨリソースを第２基地局に予め通知し、第２基地局が端末のために第２ＰＵＣＣＨリソースを設定するようにさせる。
【０３７１】
さらに、方法２及び方法３に対し、もしアップリンク制御情報にＣＳＩフィードバック情報が含まれていれば、プロセッサは、送受信機をトリガーして高位層シグナリングを介し端末へ設定情報を送信し、第１ＰＵＣＣＨリソースを指示する。
【０３７２】
及び／又は、プロセッサは、送受信機をトリガーして高位層シグナリングを介し端末へ設定情報を送信し、第２ＰＵＣＣＨリソースを指示し、又は、第２基地局が当該１つのアップリンクキャリアにおいて用いられるすべてのＰＵＣＣＨリソースを第２基地局に予め通知し、第２基地局が端末のために第２ＰＵＣＣＨリソースを設定するようにさせる。
【０３７３】
本分野の技術者として分かるべきは、本発明の実施例は方法、システム、又はコンピュータープログラムの製品を提供することができる。そのため、本発明は完全なハードウェア実施例、完全なソフトウェア実施例、又はソフトウェアとハードウェア方面に取り込む実施例の形態を採用することができる。なお、本発明はコンピューター使用可能のプログラムコードが含まれている１つ又は複数のコンピューター使用可能の記憶媒体（ディスクメモリ、ＣＤ−ＲＯＭ、光学メモリなどを含み、ただしこれらに限らない）において実施するコンピュータープログラムの製品の形態を採用することができる。
【０３７４】
本発明は本発明の実施例に係る方法、設備（システム）、及びコンピュータープログラムの製品のフロー図及び／又はブロック図を参照し説明を行っている。理解すべきはコンピュータープログラムコマンドによりフロー図及び／又はブロック図の中の各フロー及び／又はブロック、及びフロー図及び／又はブロック図の中のフロー及び／又はブロックの結合を実現しても良い。これらのコンピュータープログラムのコマンドを汎用コンピューター、専用コンピューター、組み込み式のプロセッサ又はその他のプログラマブルのデータ処理装置のプロセッサに提供し１つの機器を生成することができ、すなわちコンピューター又はその他のプログラマブルのデータ処理装置のプロセッサが実行するコマンドによりフロー図の中の１つのフロー又は複数のフロー及び／又はブロック図の中の１つのブロック又は複数のブロックにおける指定の機能を実現するための装置を生成させる。
【０３７５】
これらのコンピュータープログラムのコマンドはコンピューター又はその他のプログラマブルのデータ処理装置が特定形態で作動するように導けるコンピューター記憶装置に保存することもでき、当該コンピューター記憶装置に保存されたコマンドによりコマンド装置を含んだ製造品を生成させ、当該コマンド装置はフロー図の中の１つのフロー又は複数のフロー及び／又はブロック図の中の１つのブロック又は複数のブロックにおける指定の機能を実現する。
【０３７６】
これらのコンピュータープログラムのコマンドはコンピューター又はその他のプログラマブルのデータ処理装置に搭載することもでき、コンピューター又はその他のプログラマブルの装置において一連の操作ステップを実行させコンピューターが実現する処理を生成し、それによってコンピューター又はその他のプログラマの装置において実行したコマンドによりフロー図の中の１つのフロー又は複数のフロー及び／又はブロック図の中の１つのブロック又は複数のブロックにおいて指定の機能を実現するステップを提供する。
【０３７７】
本発明の好ましい実施例を説明したが、本分野の技術者は一度基本の進歩性概念を知れば、これらの実施例に対し他の変更及び修正をすることができる。そのため、以下の特許請求の範囲の解釈においては好ましい実施例及び本発明の範囲に属するすべての変更及び修正を含む。
【０３７８】
本分野の技術者は本発明の精神及び範囲を逸脱せずに本発明に対しいろんな変更及び変形をしても良い。このように、もし本発明のこれなの修正及び変更が本発明の特許の請求及びその均等な技術の範囲内であれば、本発明はこれらの修正及び変更も含む。
【符号の説明】
【０３７９】
９１  受信モジュール
９２  処理モジュール
９３  送信モジュール
１０１  データ送信モジュール
１０２  処理モジュール
【図１】
0006360171.tif 000002
【図２】
0006360171.tif 000003
【図３】
0006360171.tif 000004
【図４】
0006360171.tif 000005
【図５】
0006360171.tif 000006
【図６】
0006360171.tif 000007
【図７】
0006360171.tif 000008
【図８】
0006360171.tif 000009
【図９】
0006360171.tif 000010
【図１０】
0006360171.tif 000011